(57)【要約】      （修正有）【課題】情報の開示同意の有無の設定を容易にするプログラムを提供する。【解決手段】開示情報設定プログラムは、第１のユーザについて第１のサービスの情報開示に関する設定を行うにあたり、第１のサービスの情報開示に関する設定が完了した他のユーザの項目ごとの開示同意の有無を示す設定情報を取得し、取得した設定情報に基づいて、第１のサービスの項目ごとに開示同意の有無があらかじめ設定されたテンプレートと、項目の開示同意の有無についての選択の補助となる情報とを作成し、作成したテンプレートと補助となる情報とを出力する。【選択図】図２１
2020149254.tif 000002
【特許請求の範囲】
【請求項１】
第１のユーザについて第１のサービスの情報開示に関する設定を行うにあたり、前記第１のサービスの情報開示に関する設定が完了した他のユーザの項目ごとの開示同意の有無を示す設定情報に基づいて、前記第１のサービスの項目ごとに開示同意の有無があらかじめ設定されたテンプレートと、前記項目の開示同意の有無についての選択の補助となる情報とを作成し、
作成した前記テンプレートと前記補助となる情報とを出力する、
処理をコンピュータに実行させることを特徴とする開示情報設定プログラム。
【請求項２】
前記補助となる情報は、前記第１のサービスの情報開示に関する設定が完了した他のユーザのうち、前記項目について開示同意ありと設定したユーザの割合を示す情報である、
ことを特徴とする請求項１に記載の開示情報設定プログラム。
【請求項３】
前記補助となる情報は、前記第１のサービスの項目のうち、前記割合が第１閾値以上の項目について開示同意ありに一括設定可能にする情報である、
ことを特徴とする請求項２に記載の開示情報設定プログラム。
【請求項４】
前記補助となる情報は、前記第１のサービスの項目のうち、前記割合が第２閾値未満の項目について開示同意なしに一括設定可能にする情報である、
ことを特徴とする請求項２または３に記載の開示情報設定プログラム。
【請求項５】
前記補助となる情報は、所定期間内の前記割合の時系列変化を示す情報である、
ことを特徴とする請求項２〜４のいずれか一つに記載の開示情報設定プログラム。
【請求項６】
前記他のユーザは、性別および世代の少なくともいずれかが前記第１のユーザと同一のユーザである、
ことを特徴とする請求項１〜５のいずれか一つに記載の開示情報設定プログラム。
【請求項７】
前記作成する処理は、
複数のサービスのうち前記第１のユーザの情報開示に関する設定が完了した全てのサービスについての情報開示に関する設定が完了している他のユーザを特定し、
特定した前記他のユーザと前記第１のユーザとの前記複数のサービスそれぞれの項目ごとの開示同意の有無を示す設定情報に基づいて、前記第１のユーザと情報開示に関する設定傾向が類似するユーザ群を特定し、
特定した前記ユーザ群それぞれの前記第１のサービスの項目ごとの開示同意の有無を示す設定情報に基づいて、前記テンプレートを作成する、
ことを特徴とする請求項１〜６のいずれか一つに記載の開示情報設定プログラム。
【請求項８】
前記作成する処理は、
複数のサービスのうち前記第１のユーザの情報開示に関する設定が完了したサービスごとに、前記サービスの情報開示に関する設定が完了した各ユーザの項目ごとの開示同意の有無を示す設定情報に基づいて、前記第１のユーザと情報開示に関する設定傾向が類似するユーザ群を特定し、
特定した前記ユーザ群それぞれの前記第１のサービスの項目ごとの開示同意の有無を示す設定情報に基づいて、前記テンプレートを作成する、
ことを特徴とする請求項１〜７のいずれか一つに記載の開示情報設定プログラム。
【請求項９】
前記作成する処理は、
前記第１のサービスを含む複数のサービスそれぞれの情報開示に関する設定が完了した各ユーザの項目ごとの開示同意の有無を示す設定情報に基づいて、前記複数のサービスの項目間の開示同意の有無についての関連性を判定し、
判定した判定結果に基づいて、前記第１のサービスの項目および当該項目と開示同意の有無についての関連性が強い他の項目の開示同意の有無を一括設定可能にする前記補助となる情報を作成する、
ことを特徴とする請求項１〜８のいずれか一つに記載の開示情報設定プログラム。
【請求項１０】
前記作成する処理は、
判定した判定結果に基づいて、前記第１のサービスの項目のうち他の項目との開示同意の有無についての関連性が強い項目について、当該項目ごとに開示同意の有無があらかじめ設定されたテンプレートを作成する、
ことを特徴とする請求項９に記載の開示情報設定プログラム。
【請求項１１】
前記第１のユーザについて前記第１のサービスの情報開示に関する設定が完了しているか否かを判断する、処理を前記コンピュータが実行し、
前記作成する処理は、
前記第１のユーザについて前記第１のサービスの情報開示に関する設定が完了していない場合に、前記テンプレートと前記補助となる情報とを作成する、
ことを特徴とする請求項１〜１０のいずれか一つに記載の開示情報設定プログラム。
【請求項１２】
第１のユーザについて第１のサービスの情報開示に関する設定を行うにあたり、前記第１のサービスの情報開示に関する設定が完了した他のユーザの項目ごとの開示同意の有無を示す設定情報に基づいて、前記第１のサービスの項目ごとに開示同意の有無があらかじめ設定されたテンプレートと、前記項目の開示同意の有無についての選択の補助となる情報とを作成し、
作成した前記テンプレートと前記補助となる情報とを出力する、
処理をコンピュータが実行することを特徴とする開示情報設定方法。
【発明の詳細な説明】
【技術分野】
【０００１】
本発明は、開示情報設定プログラムおよび開示情報設定方法に関する。
【背景技術】
【０００２】
従来、個人が自らの意志で自らのデータを蓄積・管理するＰＤＳ（Ｐｅｒｓｏｎａｌ  Ｄａｔａ  Ｓｔｏｒｅ）と呼ばれる仕組みがある。また、ＰＤＳで蓄積・管理されているデータ（個人情報）を利用して、ユーザに合った提案、通知、宣伝等を行うサービスがある。情報開示者であるユーザは、サービスを提供する情報活用者に対して、個人情報についての開示同意の有無を設定することができる。
【０００３】
先行技術としては、端末装置に対し、利用要求の対象となる情報を情報装置から収集して、収集した情報を所定の宛先に送信する旨の収集依頼を応答し、端末装置において情報装置から収集され、所定の不許可情報が除去され、所定の宛先に送信された情報をデータベースに格納するものがある。また、顧客の特性情報を一元管理し、サービスごとにサービス提供事業者がサービスに用いる特性情報の項目を提示し、サービスで用いる特性情報の項目の利用許諾についての操作を受け付け、許諾された項目のみの利用を許諾する技術がある。
【先行技術文献】
【特許文献】
【０００４】
【特許文献１】特開２０１６−１５２０２４号公報
【特許文献２】特開２０１５−１７６２６３号公報
【発明の概要】
【発明が解決しようとする課題】
【０００５】
しかしながら、従来技術では、ユーザの個人情報（パーソナルデータ）について、情報活用者に対する開示同意の有無の設定作業に手間がかかる。
【０００６】
一つの側面では、本発明は、情報の開示同意の有無の設定を容易にすることを目的とする。
【課題を解決するための手段】
【０００７】
１つの実施態様では、第１のユーザについて第１のサービスの情報開示に関する設定を行うにあたり、前記第１のサービスの情報開示に関する設定が完了した他のユーザの項目ごとの開示同意の有無を示す設定情報に基づいて、前記第１のサービスの項目ごとに開示同意の有無があらかじめ設定されたテンプレートと、前記項目の開示同意の有無についての選択の補助となる情報とを作成し、作成した前記テンプレートと前記補助となる情報とを出力する、開示情報設定プログラムが提供される。
【発明の効果】
【０００８】
本発明の一側面によれば、情報の開示同意の有無の設定を容易にすることができる。
【図面の簡単な説明】
【０００９】
【図１】図１は、実施の形態にかかる開示情報設定方法の一実施例を示す説明図である。
【図２】図２は、開示情報設定システム２００のシステム構成例を示す説明図である。
【図３】図３は、情報処理装置１０１のハードウェア構成例を示すブロック図である。
【図４】図４は、端末装置２０１のハードウェア構成例を示すブロック図である。
【図５】図５は、サービス情報ＤＢ２２０の記憶内容の一例を示す説明図である。
【図６】図６は、ユーザ情報ＤＢ２３０の記憶内容の一例を示す説明図である。
【図７】図７は、項目情報ＤＢ２４０の記憶内容の一例を示す説明図である。
【図８】図８は、開示同意情報ＤＢ２５０の記憶内容の一例を示す説明図である。
【図９】図９は、情報処理装置１０１の機能的構成例を示すブロック図である。
【図１０】図１０は、対象ユーザと情報開示に関する設定傾向が類似するユーザ群を特定する第１の特定処理例を示す説明図である。
【図１１】図１１は、対象ユーザと情報開示に関する設定傾向が類似するユーザ群を特定する第２の特定処理例を示す説明図である。
【図１２】図１２は、時系列情報ＤＢ１２００の記憶内容の一例を示す説明図である。
【図１３】図１３は、付加情報が付加されたテンプレートの具体例を示す説明図（その１）である。
【図１４】図１４は、付加情報が付加されたテンプレートの具体例を示す説明図（その２）である。
【図１５】図１５は、開示同意操作画面の画面例を示す説明図（その１）である。
【図１６】図１６は、開示同意操作画面の画面例を示す説明図（その２）である。
【図１７】図１７は、開示同意操作画面の画面例を示す説明図（その３）である。
【図１８】図１８は、開示同意操作画面の画面例を示す説明図（その４）である。
【図１９】図１９は、開示同意操作画面の画面例を示す説明図（その５）である。
【図２０】図２０は、開示同意操作画面の画面例を示す説明図（その６）である。
【図２１】図２１は、情報処理装置１０１の開示情報設定処理手順の一例を示すフローチャートである。
【図２２】図２２は、テンプレート種別「同性×同世代」および付加情報種別「時系列情報」に応じたテンプレート作成処理の具体的処理手順の一例を示すフローチャート（その１）である。
【図２３】図２３は、テンプレート種別「同性×同世代」および付加情報種別「時系列情報」に応じたテンプレート作成処理の具体的処理手順の一例を示すフローチャート（その２）である。
【図２４】図２４は、時系列情報ＤＢ１２００の更新処理手順の一例を示すフローチャートである。
【図２５】図２５は、テンプレート種別「項目関連情報」および付加情報種別「項目関連情報」に応じたテンプレート作成処理の具体的処理手順の一例を示すフローチャート（その１）である。
【図２６】図２６は、テンプレート種別「項目関連情報」および付加情報種別「項目関連情報」に応じたテンプレート作成処理の具体的処理手順の一例を示すフローチャート（その２）である。
【図２７】図２７は、テンプレート種別「クラスタリング」および付加情報種別「クラスタリング同意選択確率」に応じた第１のテンプレート作成処理の具体的処理手順の一例を示すフローチャート（その１）である。
【図２８】図２８は、テンプレート種別「クラスタリング」および付加情報種別「クラスタリング同意選択確率」に応じた第１のテンプレート作成処理の具体的処理手順の一例を示すフローチャート（その２）である。
【図２９】図２９は、テンプレート種別「クラスタリング」および付加情報種別「クラスタリング同意選択確率」に応じた第２のテンプレート作成処理の具体的処理手順の一例を示すフローチャート（その１）である。
【図３０】図３０は、テンプレート種別「クラスタリング」および付加情報種別「クラスタリング同意選択確率」に応じた第２のテンプレート作成処理の具体的処理手順の一例を示すフローチャート（その２）である。
【図３１】図３１は、端末装置２０１の提示処理手順の一例を示すフローチャートである。
【発明を実施するための形態】
【００１０】
以下に図面を参照して、本発明にかかる開示情報設定プログラムおよび開示情報設定方法の実施の形態を詳細に説明する。
【００１１】
（実施の形態）
図１は、実施の形態にかかる開示情報設定方法の一実施例を示す説明図である。図１において、情報処理装置１０１は、情報の開示同意の有無についての設定作業を支援するコンピュータである。開示対象となる情報は、情報開示者となるユーザの情報であり、例えば、ＰＤＳで蓄積・管理されているユーザの個人情報（パーソナルデータ）である。
【００１２】
ユーザ（情報開示者）は、情報活用者によって提供される各サービス（例えば、ＰＤＳを用いたサービス）について、個人情報の項目ごとに開示同意の有無を設定することができる。項目としては、例えば、氏名、年齢、性別、住所、家族構成、スケジュール情報、位置情報、購入情報など様々なものがある。サービスとしては、ユーザによって開示された情報を分析して、そのユーザに合った提案、通知、宣伝等を行うものがある。
【００１３】
ここで、項目は、サービス間で共通するものもあるが、サービス間で異なることが多い。このため、ユーザは、利用する各サービスについて、個人情報の項目ごとに開示同意の有無を設定することになる。ところが、個人情報として蓄積・管理されるデータが増大し、開示同意が必要な項目数が増えると、開示同意の有無についての設定作業にかかる負荷が増大してしまう。
【００１４】
なお、あるサービスの情報開示に関する設定を行うにあたり、ユーザに対して、過去の他のユーザの設定内容をもとに作成したお勧めテンプレート（項目ごとに開示同意の有無があらかじめ設定されたテンプレート）を提示することが考えられる。しかし、ユーザは、提示されたテンプレートに従ってよいものかどうかを判断できず、テンプレートが有効利用されないおそれがある。
【００１５】
そこで、本実施の形態では、情報活用者によって提供されるサービスを利用するユーザ（情報提供者）について、情報の開示同意の有無の設定を容易にする開示情報設定方法について説明する。以下、情報処理装置１０１の処理例について説明する。
【００１６】
（１）情報処理装置１０１は、第１のユーザについて第１のサービスの情報開示に関する設定を行うにあたり、第１のサービスの情報開示に関する設定が完了した他のユーザの項目ごとの開示同意の有無を示す設定情報を取得する。ここで、第１のユーザは、第１のサービスを利用するユーザ（情報開示者）である。また、他のユーザは、第１のサービスについての個人情報の項目ごとの開示同意の有無を設定済みのユーザであり、例えば、第１のサービスを利用中のユーザである。
【００１７】
図１の例では、ユーザＵについてサービスＡの情報開示に関する設定を行うにあたり、サービスＡの情報開示に関する設定が完了した他のユーザの項目１〜５ごとの開示同意の有無を示す設定情報１１０が取得された場合を想定する。
【００１８】
（２）情報処理装置１０１は、取得した設定情報に基づいて、第１のサービスの項目ごとに開示同意の有無があらかじめ設定されたテンプレートと、項目の開示同意の有無についての選択の補助となる情報とを作成する。ここで、テンプレートは、第１のサービスの項目ごとに推奨する開示同意の有無を示すお勧めテンプレートである。
【００１９】
各項目について推奨する開示同意の有無は、過去の第三者の傾向（統計値）をもとに設定される。また、補助となる情報は、項目ごとの開示同意の有無の設定を楽にするためのものであり、例えば、推奨する開示同意の有無の根拠となる情報（統計情報等）や、１つの設定で複数の項目の設定を可能にする情報などである。
【００２０】
図１の例では、サービスＡの項目１〜５ごとに開示同意の有無があらかじめ設定されたテンプレート１２０が作成された場合を想定する。また、サービスＡの項目１〜５ごとの開示同意の有無についての選択の補助となる情報として、同意選択確率情報１３０と一括設定情報１４０とが作成された場合を想定する。
【００２１】
同意選択確率情報１３０は、サービスＡの項目１〜５ごとの同意選択確率を示す。各項目の同意選択確率は、サービスＡの情報開示に関する設定が完了した他のユーザのうち、当該各項目について開示同意ありと設定したユーザの割合を示す統計情報である。テンプレート１２０では、同意選択確率が５０％以上の項目に「○（開示同意あり）」が設定され、同意選択確率が５０％未満の項目に「×（開示同意なし）」が設定されている。
【００２２】
また、一括設定情報１４０は、１つの設定で複数の項目の設定を可能にする情報である。ここでは、一括設定情報１４０は、サービスＡの項目１〜５のうち、同意選択確率が７５％以上の項目について開示同意ありに一括設定可能にし、かつ、サービスの項目１〜５のうち、同意選択確率が２５％未満の項目について開示同意なしに一括設定可能にする情報である。
【００２３】
（３）情報処理装置１０１は、作成したテンプレートと、作成した補助となる情報とを出力する。具体的には、例えば、情報処理装置１０１は、第１のサービスの項目ごとに開示同意の有無があらかじめ設定されたテンプレートとして、各項目の開示同意の有無についての選択の補助となる情報が付加されたテンプレートを出力する。
【００２４】
図１の例では、情報処理装置１０１から、ユーザＵが使用する端末装置１０２に対して、同意選択確率情報１３０と一括設定情報１４０とが付加されたテンプレート１２０が出力された場合を想定する。この場合、端末装置１０２において、ユーザＵは、テンプレート１２０を利用して、サービスＡの項目１〜５ごとの開示同意の有無を設定することができる。
【００２５】
テンプレート１２０では、項目１〜５ごとにあらかじめ設定された開示同意の有無を変更可能である。このため、テンプレート１２０に従う項目については、テンプレート１２０の設定内容をそのまま流用でき、設定作業にかかる手数を減らすことができる。ただし、テンプレート１２０とは別に、サービスＡの各項目１〜５の開示同意の有無を入力する領域を設けることにしてもよい。この場合、ユーザＵは、テンプレート１２０を参照しながら、各項目１〜５の開示同意の有無を入力することができる。
【００２６】
この際、ユーザＵは、同意選択確率情報１３０を参照することで、各項目１〜５について、どれくらいの割合で他のユーザが情報開示に同意しているかを把握して、テンプレート１２０に従うかどうかを判断することができる。例えば、項目５について、９０％の人が同意しているため、テンプレート１２０に従って、自分も同意してもよいと判断することができる。一方、項目１については、テンプレート１２０では「○（開示同意あり）」となっているものの、同意選択確率が５５％のため、項目名や内容を確認した上で同意するか否かを判断したほうがよいことがわかる。
【００２７】
また、一括設定情報１４０を選択することで、項目３，４，５についての開示同意の有無を一括設定することができる。ここでは、サービスＡの項目１〜５のうち、同意選択確率が７５％以上の項目３，５について開示同意ありと設定され、かつ、同意選択確率が２５％未満の項目４について開示同意なしと設定される。一括設定された項目は、他の項目とは異なる態様で表示される。ここでは、例えば、一括設定された項目３，４，５が太線枠で表示されており、他の項目１，２と判別可能である。
【００２８】
このように、情報処理装置１０１によれば、情報活用者によって提供される第１のサービスを利用するユーザ（情報提供者）の個人情報の開示同意の有無の設定を容易にすることができる。図１の例では、サービスＡの項目ごとに開示同意の有無が変更可能にあらかじめ設定されたテンプレート１２０を提示することで、項目ごとの開示同意の有無を一から設定する場合に比べて、設定作業にかかる手数を減らすことができる。
【００２９】
また、テンプレート１２０にあわせて、サービスＡの項目ごとの開示同意の有無についての選択の補助となる同意選択確率情報１３０や一括設定情報１４０を提示することで、サービスＡの項目ごとの開示同意の有無の設定を楽にすることができる。例えば、同意選択確率情報１３０によれば、各項目の同意選択確率（統計情報）から、テンプレート１２０に従ってよいものかどうかの判断をしやすくさせることができる。また、一括設定情報１４０によれば、１つの設定で複数の項目の設定を可能にして、設定作業にかかる手数を減らすことができる。
【００３０】
（開示情報設定システム２００のシステム構成例）
つぎに、図１に示した情報処理装置１０１を含む開示情報設定システム２００のシステム構成例について説明する。開示情報設定システム２００は、例えば、ＰＤＳを用いたサービスについて、各ユーザ（情報開示者）の個人情報の項目ごとの開示同意の有無を設定するシステムに適用される。
【００３１】
図２は、開示情報設定システム２００のシステム構成例を示す説明図である。図２において、開示情報設定システム２００は、情報処理装置１０１と、複数の端末装置２０１と、を含む。開示情報設定システム２００において、情報処理装置１０１および複数の端末装置２０１は、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３２】
ここで、情報処理装置１０１は、サービス情報ＤＢ（Ｄａｔａｂａｓｅ）２２０、ユーザ情報ＤＢ２３０、項目情報ＤＢ２４０および開示同意情報ＤＢ２５０を有し、ユーザ（情報開示者）の個人情報の項目ごとの開示同意の有無についての設定作業を支援する。情報処理装置１０１は、例えば、ＰＤＳサービス基盤のサーバである。
【００３３】
なお、各種ＤＢ２２０，２３０，２４０，２５０の記憶内容については、図５〜図８を用いて後述する。
【００３４】
端末装置２０１は、開示情報設定システム２００のユーザが使用するコンピュータである。開示情報設定システム２００のユーザは、例えば、個人情報を開示し、情報活用者のサービスを利用する者（情報開示者）である。情報活用者は、例えば、ＰＤＳを用いた事業サービスを提供する者である。端末装置２０１は、例えば、ＰＣ（Ｐｅｒｓｏｎａｌ  Ｃｏｍｐｕｔｅｒ）、タブレット型ＰＣ、スマートフォンなどである。図１に示した端末装置１０２は、例えば、端末装置２０１に相当する。
【００３５】
（情報処理装置１０１のハードウェア構成例）
図３は、情報処理装置１０１のハードウェア構成例を示すブロック図である。図３において、情報処理装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００３６】
ここで、ＣＰＵ３０１は、情報処理装置１０１の全体の制御を司る。ＣＰＵ３０１は、複数のコアを有していてもよい。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００３７】
Ｉ／Ｆ３０３は、通信回線を通じてネットワーク２１０に接続され、ネットワーク２１０を介して他の装置（例えば、図２に示した端末装置２０１）に接続される。そして、Ｉ／Ｆ３０３は、ネットワーク２１０と自装置内部とのインターフェースを司り、他の装置からのデータの入出力を制御する。Ｉ／Ｆ３０３には、例えば、モデムやＬＡＮアダプタなどを採用することができる。
【００３８】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００３９】
なお、情報処理装置１０１は、上述した構成部のほかに、例えば、ＳＳＤ（Ｓｏｌｉｄ  Ｓｔａｔｅ  Ｄｒｉｖｅ）、入力装置、ディスプレイなどを有することにしてもよい。
【００４０】
（端末装置２０１のハードウェア構成例）
図４は、端末装置２０１のハードウェア構成例を示すブロック図である。図４において、端末装置２０１は、ＣＰＵ４０１と、メモリ４０２と、ディスクドライブ４０３と、ディスク４０４と、Ｉ／Ｆ４０５と、ディスプレイ４０６と、入力装置４０７と、を有する。また、各構成部はバス４００によってそれぞれ接続される。
【００４１】
ここで、ＣＰＵ４０１は、端末装置２０１の全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００４２】
ディスクドライブ４０３は、ＣＰＵ４０１の制御に従ってディスク４０４に対するデータのリード／ライトを制御する。ディスク４０４は、ディスクドライブ４０３の制御で書き込まれたデータを記憶する。
【００４３】
Ｉ／Ｆ４０５は、通信回線を通じてネットワーク２１０に接続され、ネットワーク２１０を介して他の装置（例えば、図２に示した情報処理装置１０１）に接続される。そして、Ｉ／Ｆ４０５は、ネットワーク２１０と自装置内部とのインターフェースを司り、他の装置からのデータの入出力を制御する。
【００４４】
ディスプレイ４０６は、カーソル、アイコンあるいはツールボックスをはじめ、文書、画像、機能情報などのデータを表示する。ディスプレイ４０６としては、例えば、液晶ディスプレイ、有機ＥＬ（Ｅｌｅｃｔｒｏｌｕｍｉｎｅｓｃｅｎｃｅ）ディスプレイなどを採用することができる。
【００４５】
入力装置４０７は、文字、数字、各種指示などの入力のためのキーを有し、データの入力を行う。入力装置４０７は、キーボードやマウスなどであってもよく、また、タッチパネル式の入力パッドやテンキーなどであってもよい。なお、端末装置２０１は、上述した構成部のうち、ディスクドライブ４０３、ディスク４０４を有さないことにしてもよい。
【００４６】
（各種ＤＢ２２０，２３０，２４０，２５０の記憶内容）
つぎに、図５〜図８を用いて、情報処理装置１０１が有する各種ＤＢ２２０，２３０，２４０，２５０の記憶内容について説明する。各種ＤＢ２２０，２３０，２４０，２５０は、例えば、図３に示したメモリ３０２、ディスク３０５などの記憶装置により実現される。
【００４７】
図５は、サービス情報ＤＢ２２０の記憶内容の一例を示す説明図である。図５において、サービス情報ＤＢ２２０は、サービスＩＤ、項目ＩＤおよび項目名のフィールドを有し、各フィールドに情報を設定することで、サービス情報（例えば、サービス情報５００−１〜５００−３）をレコードとして記憶する。
【００４８】
ここで、サービスＩＤは、情報活用者によって提供されるサービスを一意に識別する識別子である。項目ＩＤは、サービスを利用するにあたって、情報開示の対象となる個人情報の項目を一意に識別する識別子である。項目名は、項目の名称である。
【００４９】
例えば、サービス情報５００−１は、サービスＳ１を利用するにあたって、情報開示の対象となる個人情報の項目の項目ＩＤ「１」および項目名「氏名」を示す。なお、サービス情報ＤＢ２２０内のサービス情報には、サービスＩＤと対応付けて、サービス名が記憶されていてもよい。また、サービス情報には、全サービスで共通の項目を判別するための情報（例えば、共通フラグ）が含まれていてもよい。
【００５０】
図６は、ユーザ情報ＤＢ２３０の記憶内容の一例を示す説明図である。図６において、ユーザ情報ＤＢ２３０は、ユーザＩＤ、氏名、性別、年齢、住所および設定済みサービスＩＤのフィールドを有し、各フィールドに情報を設定することで、ユーザ情報（例えば、ユーザ情報６００−１，６００−２）をレコードとして記憶する。
【００５１】
ここで、ユーザＩＤは、開示情報設定システム２００のユーザを一意に識別する識別子である。氏名は、ユーザの氏名である。性別は、ユーザの性別である。年齢は、ユーザの年齢である。住所は、ユーザの住所である。設定済みサービスＩＤは、ユーザの情報開示に関する設定が完了しているサービスのサービスＩＤを示す。
【００５２】
例えば、ユーザ情報６００−１は、ユーザＵ１の氏名「富士太郎」、性別「男」、年齢「３５」、住所「東京都○○区△△」および設定済みサービスＩＤ「Ｓ１，Ｓ２，Ｓ３，Ｓ４」を示す。
【００５３】
図７は、項目情報ＤＢ２４０の記憶内容の一例を示す説明図である。図７において、項目情報ＤＢ２４０は、ユーザＩＤ、サービスＩＤ、項目ＩＤ、項目名および内容のフィールドを有し、各フィールドに情報を設定することで、項目情報（例えば、項目情報７００−１，７００−２）をレコードとして記憶する。
【００５４】
ここで、ユーザＩＤは、開示情報設定システム２００のユーザを一意に識別する識別子である。サービスＩＤは、情報活用者によって提供されるサービスを一意に識別する識別子である。項目ＩＤは、サービスを利用するにあたって、情報開示の対象となる個人情報の項目を一意に識別する識別子である。項目名は、項目の名称である。内容は、項目の内容（項目値）である。
【００５５】
例えば、項目情報７００−１は、ＰＤＳに登録されたユーザＵ１の個人情報の一つであり、サービスＳ１の項目ＩＤ「１」および項目名「氏名」の項目の内容「富士太郎」を示す。なお、項目情報ＤＢ２４０内の各ユーザに対応する項目情報は、各ユーザに対応する端末装置２０１に記憶されていてもよい。
【００５６】
図８は、開示同意情報ＤＢ２５０の記憶内容の一例を示す説明図である。図８において、開示同意情報ＤＢ２５０は、各ユーザの項目ごとの開示同意の有無を示す開示同意情報を記憶する。項目は、情報活用者によって提供されるいずれかのサービスの項目である。
【００５７】
ここでは、開示同意情報には、項目ＩＤ（１〜ｍ）と対応付けて、当該項目ＩＤの項目の開示同意の有無を示す情報が設定されている（ｍは、２以上の自然数）。例えば、「○」は、開示同意ありを示す。「×」は、開示同意なしを示す。「−（Ｎｕｌｌ）」は、開示同意の有無が未設定であることを示す。
【００５８】
例えば、ユーザＵ１の項目ＩＤ「１」の開示同意情報は「○」である。なお、開示同意情報には、項目ＩＤに対応するサービスＩＤが含まれていてもよい。項目ＩＤに対応するサービスＩＤによれば、各項目ＩＤの項目が、どのサービスに対応しているのかを特定することができる。
【００５９】
（情報処理装置１０１の機能的構成例）
図９は、情報処理装置１０１の機能的構成例を示すブロック図である。図９において、情報処理装置１０１は、受付部９０１と、作成部９０２と、出力部９０３と、を含む。受付部９０１〜出力部９０３は制御部となる機能であり、具体的には、例えば、図３に示したメモリ３０２、ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、ディスク３０５などの記憶装置に記憶される。
【００６０】
以下の説明では、情報活用者によって提供される複数のサービスを「サービスＳ１〜Ｓｎ」と表記する場合がある（ｎ：２以上の自然数）。また、サービスＳ１〜Ｓｎのうちの任意のサービスを「サービスＳｉ」と表記する場合がある（ｉ＝１，２，…，ｎ）。
【００６１】
受付部９０１は、テンプレート作成要求を受け付ける。ここで、テンプレート作成要求とは、サービスＳｉの情報開示に関する設定を行うにあたり、サービスＳｉの項目ごとに開示同意の有無があらかじめ設定されたテンプレートの作成を要求するものである。テンプレート作成要求には、例えば、対象ユーザＩＤ、テンプレート種別および付加情報種別が含まれる。
【００６２】
対象ユーザＩＤは、対象ユーザのユーザＩＤである。対象ユーザは、サービスＳｉの情報開示に関する設定を行うユーザである。対象ユーザは、図１で説明した「第１のユーザ」に相当する。テンプレート種別は、作成要求するテンプレートの種別であり、どの種別のテンプレートを作成するのかを指定するものである。
【００６３】
テンプレート種別としては、例えば、「対象サービス」、「同性（性別が同じ）」、「同世代（世代が同じ）」、「同性×同世代」、「項目関連情報」、「クラスタリング」などがある。テンプレート種別「対象サービス」は、特定のサービスのテンプレートの作成を要求する場合に指定される。この場合、テンプレート作成要求には、対象サービスのサービスＩＤ（対象サービスＩＤ）が含まれる。
【００６４】
テンプレート種別「同性」は、対象ユーザと同性のユーザの傾向が反映されたテンプレートの作成を要求する場合に指定される。テンプレート種別「同世代」は、対象ユーザと同世代のユーザの傾向が反映されたテンプレートの作成を要求する場合に指定される。テンプレート種別「同性×同世代」は、対象ユーザと同性かつ同世代のユーザの傾向が反映されたテンプレートの作成を要求する場合に指定される。
【００６５】
テンプレート種別「項目関連情報」は、サービスＳｉの項目のうち、他の項目と開示同意の有無についての関連性が強い項目のみをピックアップしたテンプレートの作成を要求する場合に指定される。テンプレート種別「クラスタリング」は、対象ユーザと情報開示に関する設定傾向が類似するユーザの傾向が反映されたテンプレートの作成を要求する場合に指定される。
【００６６】
また、付加情報種別は、テンプレートに付加する付加情報の種別であり、どの種別の付加情報を作成するのかを指定するものである。付加情報は、サービスＳｉの項目の開示同意の有無についての選択の補助となる情報である。付加情報種別としては、例えば、「同意選択確率」、「時系列情報」、「項目関連情報」、「クラスタリング同意選択確率」などがある。
【００６７】
付加情報種別「同意選択確率」は、各項目の同意選択確率を示す付加情報の作成を要求する場合に指定される。同意選択確率は、サービスＳｉの情報開示に関する設定が完了したユーザのうち、サービスＳｉの項目について開示同意ありと設定したユーザの割合を示す。
【００６８】
付加情報種別「時系列情報」は、各項目の同意選択確率の時系列変化を示す付加情報の作成を要求する場合に指定される。付加情報種別「項目関連情報」は、各項目と開示同意の有無についての関連性が強い他の項目を示す付加情報の作成を要求する場合に指定される。
【００６９】
付加情報種別「クラスタリング同意選択確率」は、クラスタリングされたユーザ群（クラスタ）の各項目の同意選択確率を示す付加情報の作成を要求する場合に指定される。なお、テンプレート種別、付加情報種別は、それぞれ複数の種別を組み合わせて指定可能である。
【００７０】
具体的には、例えば、受付部９０１は、端末装置２０１からテンプレート作成要求を受信することにより、当該テンプレート作成要求を受け付ける。また、受付部９０１は、情報処理装置１０１の不図示の入力装置を用いたユーザの操作入力により、テンプレート作成要求を受け付けることにしてもよい。
【００７１】
作成部９０２は、対象ユーザについてサービスＳｉの情報開示に関する設定を行うにあたり、サービスＳｉの情報開示に関する設定が完了した他のユーザの項目ごとの開示同意の有無を示す設定情報を取得する。そして、作成部９０２は、取得した設定情報に基づいて、テンプレートと付加情報とを作成する。ここで、テンプレートは、サービスＳｉの項目ごとに開示同意の有無があらかじめ設定されたテンプレートである。付加情報は、サービスＳｉの項目の開示同意の有無についての選択の補助となる情報である。
【００７２】
具体的には、例えば、作成部９０２は、テンプレート作成要求を受け付けたことに応じて、図８に示した開示同意情報ＤＢ２５０から、テンプレート作成要求に含まれる対象ユーザＩＤ、テンプレート種別および付加情報種別に応じた開示同意情報を取得する。そして、作成部９０２は、取得した開示同意情報に基づいて、テンプレート種別に応じたテンプレートを作成する。また、作成部９０２は、取得した開示同意情報に基づいて、付加情報種別に応じた付加情報を作成する。
【００７３】
なお、作成部９０２は、対象ユーザについてサービスＳｉの情報開示に関する設定が完了しているか否かを判断することにしてもよい。具体的には、例えば、作成部９０２は、図６に示したユーザ情報ＤＢ２３０を参照して、対象ユーザについてサービスＳｉの情報開示に関する設定が完了しているか否かを判断する。情報開示に関する設定が完了しているサービスは、設定済みサービスＩＤから特定される。そして、作成部９０２は、対象ユーザについてサービスＳｉの情報開示に関する設定が完了していない場合に、サービスＳｉのテンプレートと付加情報とを作成することにしてもよい。
【００７４】
以下、各テンプレート種別に応じたテンプレートを作成する際の具体的な処理例について説明する。
【００７５】
・テンプレート種別「対象サービス」
テンプレート種別「対象サービス」の場合、作成部９０２は、図５に示したサービス情報ＤＢ２２０を参照して、対象サービスＩＤに対応する項目ＩＤを特定する。これにより、対象サービスの項目を特定することができる。そして、作成部９０２は、開示同意情報ＤＢ２５０から、対象ユーザとは異なる他のユーザについて、特定した項目ＩＤに対応する開示同意情報を取得する。対象ユーザは、対象ユーザＩＤから特定される。
【００７６】
これにより、対象サービスの情報開示に関する設定が完了した他のユーザの項目ごとの開示同意の有無を示す開示同意情報を取得することができる。
【００７７】
つぎに、作成部９０２は、取得した開示同意情報に基づいて、対象サービスの項目ごとの同意選択確率を算出する。例えば、対象サービスの情報開示に関する設定が完了した他のユーザの数を「１００」とし、対象サービスの項目ｘについて開示同意ありと設定した他のユーザの数を「９０」とする。この場合、対象サービスの項目ｘの同意選択確率は、「９０％（＝９０／１００×１００）」となる。
【００７８】
そして、作成部９０２は、算出した対象サービスの項目ごとの同意選択確率に基づいて、対象サービスの項目ごとに開示同意の有無があらかじめ設定されたテンプレートを作成する。より詳細に説明すると、例えば、作成部９０２は、同意選択確率が閾値α以上の項目に「開示同意あり」を設定し、同意選択確率が閾値α未満の項目に「開示同意なし」を設定したテンプレートを作成する。閾値αは、任意に設定可能であり、例えば、５０％程度の値に設定される。
【００７９】
これにより、対象サービスの項目ごとに開示同意の有無があらかじめ設定されたテンプレートを作成することができる。
【００８０】
・テンプレート種別「同性」
また、テンプレート種別「同性」の場合、作成部９０２は、ユーザ情報ＤＢ２３０を参照して、対象ユーザの性別を特定する。つぎに、作成部９０２は、ユーザ情報ＤＢ２３０を参照して、対象ユーザと同性の他のユーザを特定する。そして、作成部９０２は、開示同意情報ＤＢ２５０から、特定した対象ユーザと同性の他のユーザについて、各項目ＩＤに対応する開示同意情報を取得する。
【００８１】
これにより、サービスＳ１〜Ｓｎについて、対象ユーザと同性の他のユーザの項目ごとの開示同意の有無を示す開示同意情報を取得することができる。
【００８２】
つぎに、作成部９０２は、取得した開示同意情報に基づいて、各サービスＳｉの項目ごとの同意選択確率を算出する。そして、作成部９０２は、算出した各サービスＳｉの項目ごとの同意選択確率に基づいて、各サービスＳｉの項目ごとに開示同意の有無があらかじめ設定されたテンプレートを作成する。
【００８３】
これにより、各サービスＳ１〜Ｓｎについて、対象ユーザと同性のユーザの情報開示に関する設定傾向が反映されたテンプレートを作成することができる。なお、テンプレート種別として、例えば、「対象サービス」および「同性」が指定された場合、作成部９０２は、対象サービスについて、対象ユーザと同性のユーザの情報開示に関する設定傾向が反映されたテンプレートを作成する。
【００８４】
・テンプレート種別「同世代」
また、テンプレート種別「同世代」の場合、作成部９０２は、ユーザ情報ＤＢ２３０を参照して、対象ユーザの世代を特定する。世代は、同時代に生まれた人たちをまとめる時代区分であり、例えば、年齢によって１０代〜９０代の世代に分かれる。つぎに、作成部９０２は、ユーザ情報ＤＢ２３０を参照して、対象ユーザと同世代の他のユーザを特定する。そして、作成部９０２は、開示同意情報ＤＢ２５０から、特定した対象ユーザと同世代の他のユーザについて、各項目ＩＤに対応する開示同意情報を取得する。
【００８５】
これにより、サービスＳ１〜Ｓｎについて、対象ユーザと同世代の他のユーザの項目ごとの開示同意の有無を示す開示同意情報を取得することができる。
【００８６】
つぎに、作成部９０２は、取得した開示同意情報に基づいて、各サービスＳｉの項目ごとの同意選択確率を算出する。そして、作成部９０２は、算出した各サービスＳｉの項目ごとの同意選択確率に基づいて、各サービスＳｉの項目ごとに開示同意の有無があらかじめ設定されたテンプレートを作成する。
【００８７】
これにより、各サービスＳ１〜Ｓｎについて、対象ユーザと同世代のユーザの情報開示に関する設定傾向が反映されたテンプレートを作成することができる。
【００８８】
・テンプレート種別「同性×同世代」
また、テンプレート種別「同性×同世代」の場合、作成部９０２は、ユーザ情報ＤＢ２３０を参照して、対象ユーザの性別および世代を特定する。つぎに、作成部９０２は、ユーザ情報ＤＢ２３０を参照して、対象ユーザと同性かつ同世代の他のユーザを特定する。そして、作成部９０２は、開示同意情報ＤＢ２５０から、特定した対象ユーザと同性かつ同世代の他のユーザについて、各項目ＩＤに対応する開示同意情報を取得する。
【００８９】
これにより、サービスＳ１〜Ｓｎについて、対象ユーザと同性かつ同世代の他のユーザの項目ごとの開示同意の有無を示す開示同意情報を取得することができる。
【００９０】
つぎに、作成部９０２は、取得した開示同意情報に基づいて、各サービスＳｉの項目ごとの同意選択確率を算出する。そして、作成部９０２は、算出した各サービスＳｉの項目ごとの同意選択確率に基づいて、各サービスＳｉの項目ごとに開示同意の有無があらかじめ設定されたテンプレートを作成する。
【００９１】
これにより、各サービスＳ１〜Ｓｎについて、対象ユーザと同性かつ同世代のユーザの情報開示に関する設定傾向が反映されたテンプレートを作成することができる。
【００９２】
・テンプレート種別「項目関連情報」
また、テンプレート種別「項目関連情報」の場合、作成部９０２は、サービスＳ１〜Ｓｎそれぞれの情報開示に関する設定が完了した各ユーザの項目ごとの開示同意の有無を示す設定情報に基づいて、サービスＳ１〜Ｓｎの項目間の開示同意の有無についての関連性を判定する。そして、作成部９０２は、判定した判定結果に基づいて、サービスＳｉの項目のうち他の項目との開示同意の有無についての関連性が強い項目について、当該項目ごとに開示同意の有無があらかじめ設定されたテンプレートを作成する。
【００９３】
具体的には、例えば、作成部９０２は、開示同意情報ＤＢ２５０を参照して、項目ごとに、関連項目および関連項目数を特定する。ここで、関連項目とは、開示同意の有無についての関連性が強い項目である。関連性の強い項目同士は、一方の項目の開示同意の有無が決まると、他方の項目の開示同意の有無が決まるような関係にある。関連項目数は、関連項目の数である。
【００９４】
一例として、項目ｘの関連項目および関連項目数を特定する場合について説明する。この場合、まず、作成部９０２は、開示同意情報ＤＢ２５０から、項目ｘの開示同意が「○（開示同意あり）」のユーザの開示同意情報を取得する。つぎに、作成部９０２は、取得した開示同意情報に基づいて、項目ｘとは異なる他の項目ごとの同意選択確率を算出する。
【００９５】
そして、作成部９０２は、算出した同意選択確率が閾値β以上の他の項目を、項目ｘの関連項目（第１の関連項目）として特定する。閾値βは、任意に設定可能であり、例えば、７５％程度の値に設定される。また、作成部９０２は、算出した同意選択確率が閾値γ未満の他の項目を、項目ｘの関連項目（第２の関連項目）として特定する。閾値γは、任意に設定可能であり、例えば、２５％程度の値に設定される。
【００９６】
つぎに、作成部９０２は、開示同意情報ＤＢ２５０から、項目ｘの開示同意が「×（開示同意なし）」のユーザの開示同意情報を取得する。つぎに、作成部９０２は、取得した開示同意情報に基づいて、項目ｘとは異なる他の項目ごとの同意選択確率を算出する。そして、作成部９０２は、算出した同意選択確率が閾値β以上の他の項目を、項目ｘの関連項目（第３の関連項目）として特定する。また、作成部９０２は、算出した同意選択確率が閾値γ未満の他の項目を、項目ｘの関連項目（第４の関連項目）として特定する。
【００９７】
そして、作成部９０２は、特定した関連項目（第１、第２、第３および第４の関連項目）の総数を、関連項目数として特定する。なお、関連項目数は、第１、第２、第３および第４の関連項目のうちの少なくともいずれかの関連項目の数としてもよい。これにより、項目ｘと開示同意の有無についての関連性が強い関連項目および関連項目数を特定することができる。
【００９８】
そして、作成部９０２は、サービスＳｉの項目のうち、特定した関連項目数が多い上位ｐ個の項目について、当該項目ごとに開示同意の有無があらかじめ設定されたテンプレートを作成することにしてもよい。ｐは、任意に設定可能であり、例えば、５〜１０程度の値に設定される。
【００９９】
また、作成部９０２は、サービスＳｉの項目のうち、特定した関連項目数が所定数ｑ以上の項目について、当該項目ごとに開示同意の有無があらかじめ設定されたテンプレートを作成することにしてもよい。ｑは、任意に設定可能であり、例えば、５〜１０程度の値に設定される。
【０１００】
これにより、各サービスＳｉの項目のうち他の項目との開示同意の有無についての関連性が強い項目のみをピックアップしたテンプレートを作成することができる。
【０１０１】
・テンプレート種別「クラスタリング」
また、テンプレート種別「クラスタリング」の場合、作成部９０２は、対象ユーザと情報開示に関する設定傾向が類似するユーザ群を特定する。そして、作成部９０２は、特定したユーザ群それぞれの対象サービスの項目ごとの開示同意の有無を示す設定情報に基づいて、対象サービスの項目ごとに開示同意の有無があらかじめ設定されたテンプレートを作成する。
【０１０２】
ここで、対象ユーザと情報開示に関する設定傾向が類似するユーザ群を特定する特定処理例について説明する。まず、図１０を用いて、第１の特定処理例について説明する。
【０１０３】
図１０は、対象ユーザと情報開示に関する設定傾向が類似するユーザ群を特定する第１の特定処理例を示す説明図である。作成部９０２は、サービスＳ１〜Ｓｎのうち対象ユーザの情報開示に関する設定が完了した全てのサービスについての情報開示に関する設定が完了している他のユーザを特定する。
【０１０４】
具体的には、例えば、作成部９０２は、ユーザ情報ＤＢ２３０を参照して、対象ユーザの設定済みサービスＩＤを特定する。つぎに、作成部９０２は、ユーザ情報ＤＢ２３０を参照して、特定した設定済みサービスＩＤを、設定済みサービスＩＤに含む他のユーザを特定する。
【０１０５】
図１０の例では、対象ユーザの設定済みサービスＩＤを「Ｓ１，Ｓ２，Ｓ３，Ｓ４」とする。この場合、作成部９０２は、ユーザ情報ＤＢ２３０を参照して、設定済みサービスＩＤに「Ｓ１，Ｓ２，Ｓ３，Ｓ４」を含む他のユーザを特定する。この際、作成部９０２は、設定済みサービスＩＤが「Ｓ１，Ｓ２，Ｓ３，Ｓ４」と完全一致する他のユーザを特定することにしてもよい。
【０１０６】
これにより、サービスＳ１〜Ｓｎのうち情報開示に関する設定が完了したサービスの組み合わせが、対象ユーザと同一の他のユーザを特定することができる。
【０１０７】
つぎに、作成部９０２は、特定した他のユーザと対象ユーザとのサービスＳ１〜Ｓｎそれぞれの項目ごとの開示同意の有無を示す設定情報に基づいて、対象ユーザと情報開示に関する設定傾向が類似するユーザ群を特定する。具体的には、例えば、作成部９０２は、開示同意情報ＤＢ２５０を参照して、特定した他のユーザと対象ユーザとのサービスＳ１〜Ｓｎそれぞれの項目ごとの開示同意情報に基づいて、クラスタリングを行う。
【０１０８】
より詳細に説明すると、例えば、作成部９０２は、特定した他のユーザそれぞれについて、サービスＳ１〜Ｓｎそれぞれの項目ごとの開示同意の有無を要素として多次元座標系にプロットする。また、作成部９０２は、対象ユーザについて、サービスＳ１〜Ｓｎそれぞれの項目ごとの開示同意の有無を要素として多次元座標系にプロットする。
【０１０９】
なお、サービスＳ１〜Ｓｎの全項目数がｍ個の場合、多次元座標系にプロットされる各点（図１０中、□、■）の座標は、ｍ個の要素によって定まる。各要素は、「○（開示同意あり）」、「×（開示同意なし）」および「−（Ｎｕｌｌ）」のいずれかである。
【０１１０】
そして、作成部９０２は、例えば、プロットした各点の座標に基づいて、特定した他のユーザと対象ユーザとを含むユーザ群をクラスタ（部分集合）に分割する。なお、クラスタリング技術としては、既存のいかなる技術を適用することにしてもよい。図１０の（１０−１）に示す例では、クラスタＣ１〜Ｃ４に分割されている。
【０１１１】
クラスタＣ１〜Ｃ４のうち、対象ユーザを含むクラスタはクラスタＣ４である。これにより、クラスタＣ４に属するユーザ群を、対象ユーザと情報開示に関する設定傾向が類似するユーザ群として特定することができる。
【０１１２】
この場合、作成部９０２は、例えば、開示同意情報ＤＢ２５０を参照して、クラスタＣ４に属する対象ユーザとは異なる他のユーザそれぞれについて、対象サービスの項目ごとの開示同意の有無を要素として多次元座標系にプロットする。ただし、対象サービスについての情報開示に関する設定が完了しているユーザを対象とする。そして、作成部９０２は、例えば、プロットした各点の座標に基づいて、クラスタＣ４に属する他のユーザをクラスタに分割する。
【０１１３】
図１０の（１０−２）に示す例では、クラスタＣ５〜Ｃ７に分割されている。この場合、作成部９０２は、クラスタＣ５〜Ｃ７ごとに、対象サービスの項目ごとに開示同意の有無があらかじめ設定されたテンプレートを作成する。具体的には、例えば、作成部９０２は、開示同意情報ＤＢ２５０から、各クラスタに属する他のユーザについて、対象サービスの項目ごとの開示同意情報を取得する。
【０１１４】
つぎに、作成部９０２は、各クラスタについて、取得した開示同意情報に基づいて、対象サービスの項目ごとの同意選択確率を算出する。そして、作成部９０２は、各クラスタについて、算出した対象サービスの項目ごとの同意選択確率に基づいて、対象サービスの項目ごとに開示同意の有無があらかじめ設定されたテンプレートを作成する。
【０１１５】
これにより、クラスタＣ５〜Ｃ７ごとのテンプレートを作成することができる。すなわち、対象ユーザと情報開示に関する設定傾向が類似するユーザ群を、対象サービスについての情報開示に関する設定傾向が類似するクラスタＣ５〜Ｃ７に分割して、クラスタＣ５〜Ｃ７ごとのテンプレートを作成することができる。ただし、作成部９０２は、クラスタＣ５〜Ｃ７のうちのいずれかのクラスタのテンプレートを作成することにしてもよい。
【０１１６】
つぎに、図１１を用いて、第２の特定処理例について説明する。
【０１１７】
図１１は、対象ユーザと情報開示に関する設定傾向が類似するユーザ群を特定する第２の特定処理例を示す説明図である。作成部９０２は、サービスＳ１〜Ｓｎのうち対象ユーザの情報開示に関する設定が完了したサービスごとに、サービスの情報開示に関する設定が完了した各ユーザの項目ごとの開示同意の有無を示す設定情報に基づいて、対象ユーザと情報開示に関する設定傾向が類似するユーザ群を特定する。
【０１１８】
具体的には、例えば、作成部９０２は、ユーザ情報ＤＢ２３０を参照して、対象ユーザの設定済みサービスＩＤを特定する。つぎに、作成部９０２は、ユーザ情報ＤＢ２３０を参照して、特定した設定済みサービスＩＤに含まれるサービスＩＤごとに、当該サービスＩＤを設定済みサービスＩＤに含む他のユーザを特定する。
【０１１９】
図１１の例では、対象ユーザの設定済みサービスＩＤを「Ｓ１，Ｓ２，Ｓ３，Ｓ４」とする。この場合、作成部９０２は、特定した設定済みサービスＩＤ「Ｓ１，Ｓ２，Ｓ３，Ｓ４」に含まれるサービスＩＤごとに、当該サービスＩＤを設定済みサービスＩＤに含む他のユーザを特定する。
【０１２０】
これにより、対象ユーザの情報開示に関する設定が完了したサービスごとに、当該サービスについての情報開示に関する設定が完了した他のユーザを特定することができる。
【０１２１】
つぎに、作成部９０２は、例えば、開示同意情報ＤＢ２５０を参照して、サービスＳ１，Ｓ２，Ｓ３，Ｓ４ごとに、特定した他のユーザと対象ユーザとの各サービスＳ１，Ｓ２，Ｓ３，Ｓ４の項目ごとの開示同意情報に基づいて、クラスタリングを行う。
【０１２２】
図１１の例では、サービスＳ１について、クラスタＣ１〜Ｃ４に分割されている。クラスタＣ１〜Ｃ４のうち、対象ユーザを含むクラスタはクラスタＣ４である。サービスＳ２について、クラスタＣ５〜Ｃ７に分割されている。クラスタＣ５〜Ｃ７のうち、対象ユーザを含むクラスタはクラスタＣ６である。サービスＳ３について、クラスタＣ８〜Ｃ１０に分割されている。クラスタＣ８〜Ｃ１０のうち、対象ユーザを含むクラスタはクラスタＣ８である。サービスＳ４について、クラスタＣ１１〜Ｃ１３に分割されている。クラスタＣ１１〜Ｃ１３のうち、対象ユーザを含むクラスタはクラスタＣ１１である。
【０１２３】
これにより、各クラスタＣ４，Ｃ６，Ｃ８，Ｃ１１に属するユーザ群を、対象ユーザと情報開示に関する設定傾向が類似するユーザ群として特定することができる。
【０１２４】
この場合、作成部９０２は、例えば、開示同意情報ＤＢ２５０を参照して、クラスタＣ４，Ｃ６，Ｃ８，Ｃ１１に属する対象ユーザとは異なる他のユーザそれぞれについて、対象サービスの項目ごとの開示同意の有無を要素として多次元座標系にプロットする。そして、作成部９０２は、例えば、プロットした各点の座標に基づいて、クラスタＣ４，Ｃ６，Ｃ８，Ｃ１１に属する他のユーザをクラスタに分割する。
【０１２５】
図１１に示す例では、クラスタＣ４，Ｃ６，Ｃ８，Ｃ１１に属する他のユーザが、クラスタＣ１４〜Ｃ１６に分割されている。この場合、作成部９０２は、クラスタＣ１４〜Ｃ１６ごとに、対象サービスの項目ごとに開示同意の有無があらかじめ設定されたテンプレートを作成する。
【０１２６】
これにより、クラスタＣ１４〜Ｃ１６ごとのテンプレートを作成することができる。すなわち、対象ユーザと情報開示に関する設定傾向が類似するユーザ群を、対象サービスについての情報開示に関する設定傾向が類似するクラスタＣ１４〜Ｃ１６に分割して、クラスタＣ１４〜Ｃ１６ごとのテンプレートを作成することができる。ただし、作成部９０２は、クラスタＣ１４〜Ｃ１６のうちのいずれかのクラスタのテンプレートを作成することにしてもよい。
【０１２７】
図９の説明に戻り、各付加情報種別に応じた付加情報を作成する際の具体的な処理例について説明する。
【０１２８】
・付加情報種別「同意選択確率」
付加情報種別「同意選択確率」の場合、作成部９０２は、サービスＳｉの項目ごとの同意選択確率を算出する。そして、作成部９０２は、算出したサービスＳｉの項目ごとの同意選択確率を示す付加情報を作成する。ここで、サービスＳｉは、対象サービスであってもよく、また、各サービスＳ１〜Ｓｎであってもよい。
【０１２９】
すなわち、項目ごとの同意選択確率は、ユーザにより指定された対象サービスについてのみ算出してもよく、全サービスＳ１〜Ｓｎについて算出してもよい。また、同意選択確率の算出に用いる開示同意情報は、全ユーザの開示同意情報であってもよく、また、対象ユーザと同性、同世代のユーザの開示同意情報であってもよい。
【０１３０】
また、付加情報種別にかかわらず、作成部９０２は、算出したサービスＳｉの項目ごとの同意選択確率に基づいて、１つの設定で複数の項目の設定を可能にする付加情報を作成することにしてもよい。具体的には、例えば、作成部９０２は、サービスＳｉの項目のうち、同意選択確率が閾値β以上の項目について開示同意ありに一括設定可能にする付加情報を作成することにしてもよい。また、作成部９０２は、サービスＳｉの項目のうち、同意選択確率が閾値γ未満の項目について開示同意なしに一括設定可能にする付加情報を作成することにしてもよい。
【０１３１】
例えば、閾値βを「β＝７５％」とし、閾値γを「γ＝２５％」とする。この場合、作成部９０２は、サービスＳｉの項目のうち、同意選択確率が閾値７５％以上の項目、および／または、同意選択確率が２５％未満の項目について、開示同意の有無を一括設定可能にする付加情報を作成する。
【０１３２】
・付加情報種別「時系列情報」
付加情報種別「時系列情報」の場合、作成部９０２は、定期的または不定期に、サービスＳｉの項目ごとの同意選択確率を算出する。同意選択確率の算出に用いる開示同意情報は、全ユーザの開示同意情報であってもよく、また、同性、同世代のユーザの開示同意情報であってもよい。
【０１３３】
そして、作成部９０２は、定期的または不定期に算出したサービスＳｉの項目ごとの同意選択確率に基づいて、所定期間Ｔ内のサービスＳｉの項目ごとの同意選択確率の時系列変化を示す付加情報を作成する。所定期間Ｔは、任意に設定可能であり、例えば、直近１週間、直近１ヶ月などの期間に設定される。
【０１３４】
算出されたサービスＳｉの項目ごとの同意選択確率は、例えば、図１２に示すような時系列情報ＤＢ１２００に記憶する。ここで、時系列情報ＤＢ１２００の記憶内容について説明する。時系列情報ＤＢ１２００は、図３に示したメモリ３０２、ディスク３０５などの記憶装置により実現される。ここでは、１日ごとに、各サービスＳ１〜Ｓｎの項目ごとの同意選択確率を算出する場合を想定する。
【０１３５】
図１２は、時系列情報ＤＢ１２００の記憶内容の一例を示す説明図である。図１２において、時系列情報ＤＢ１２００は、時刻、統計単位、項目ＩＤおよび同意選択確率のフィールドを有し、各フィールドに情報を設定することで、同意選択確率情報（例えば、同意選択確率情報１２００−１〜１２００−５）をレコードとして記憶する。
【０１３６】
ここで、時刻は、各サービスＳ１〜Ｓｎの項目ごとの同意選択確率が算出された日時を示す。統計単位は、同意選択確率の算出に用いた開示同意情報を示す。統計単位は、全ユーザ、男性、女性、１０代、２０代、…、９０代、男性１０代、男性２０代、…、男性９０代、女性１０代、女性２０代、…、女性９０代のいずれかである。
【０１３７】
例えば、統計単位「全ユーザ」は、全ユーザの開示同意情報を示す。統計単位「男性」は、男性のユーザの開示同意情報を示す。統計単位「女性」は、女性のユーザの開示同意情報を示す。統計単位「１０代」は、年齢が１０代のユーザの開示同意情報を示す。統計単位「２０代」は、年齢が２０代のユーザの開示同意情報を示す。統計単位「女性９０代」は、年齢が９０代の女性のユーザの開示同意情報を示す。
【０１３８】
項目ＩＤは、サービスＳ１〜Ｓｎの各項目を一意に識別する識別子である。同意選択確率は、サービスＳｉの情報開示に関する設定が完了したユーザのうち、サービスＳｉの項目について開示同意ありと設定したユーザの割合を示す。
【０１３９】
例えば、作成部９０２は、時系列情報ＤＢ１２００を参照して、所定期間Ｔ内のサービスＳｉの項目ごとの同意選択確率の時系列変化を示す付加情報を作成する。同意選択確率の時系列変化は、例えば、折れ線グラフによって表現してもよく、また、棒グラフによって表現してもよい。
【０１４０】
・付加情報種別「項目関連情報」
付加情報種別「項目関連情報」の場合、作成部９０２は、サービスＳ１〜Ｓｎそれぞれの情報開示に関する設定が完了した各ユーザの項目ごとの開示同意の有無を示す設定情報に基づいて、複数のサービスの項目間の開示同意の有無についての関連性を判定する。そして、作成部９０２は、判定した判定結果に基づいて、サービスＳｉの項目と開示同意の有無についての関連性が強い他の項目の開示同意の有無を示す付加情報を作成することにしてもよい。
【０１４１】
この際、作成部９０２は、判定した判定結果に基づいて、サービスＳｉの項目および当該項目と開示同意の有無についての関連性が強い他の項目の開示同意の有無を一括設定可能にする付加情報を作成することにしてもよい。
【０１４２】
具体的には、例えば、作成部９０２は、開示同意情報ＤＢ２５０を参照して、項目ごとに、関連項目を特定する。そして、作成部９０２は、サービスＳｉの項目ごとに、特定した関連項目の開示同意の有無を示す付加情報を作成する。この際、作成部９０２は、サービスＳｉの項目ごとに、当該および当該項目の関連項目の開示同意の有無を一括設定可能にする付加情報を作成することにしてもよい。
【０１４３】
なお、サービスＳｉの項目および当該項目の関連項目の開示同意の有無を一括設定可能にする付加情報の具体例については、図１７〜図２０を用いて後述する。
【０１４４】
・付加情報種別「クラスタリング同意選択確率」
付加情報種別「クラスタリング同意選択確率」の場合、作成部９０２は、対象ユーザと情報開示に関する設定傾向が類似するユーザ群の開示同意情報に基づいて、対象サービスの項目ごとの同意選択確率を算出する。対象ユーザと情報開示に関する設定傾向が類似するユーザ群は、例えば、図１０に示したクラスタＣ４に属する他のユーザや、図１１に示したクラスタＣ４，Ｃ６，Ｃ８，Ｃ１１に属する他のユーザである。そして、作成部９０２は、算出した対象サービスの項目ごとの同意選択確率を示す付加情報を作成する。
【０１４５】
また、作成部９０２は、対象ユーザと情報開示に関する設定傾向が類似するユーザ群をクラスタリングして得られたクラスタごとに、当該クラスタに属するユーザの開示同意情報に基づいて、対象サービスの項目ごとの同意選択確率を算出する。対象ユーザと情報開示に関する設定傾向が類似するユーザ群をクラスタリングして得られたクラスタは、例えば、図１０に示したクラスタＣ５，Ｃ６，Ｃ７や、図１１に示した各クラスタＣ１４，Ｃ１５，Ｃ１６である。これにより、対象ユーザと情報開示に関する設定傾向が類似するユーザ群を、対象サービスについての情報開示に関する設定傾向が類似するユーザ群に分割して、分割したユーザ群単位の統計情報（同意選択確率）を作成することができる。
【０１４６】
出力部９０３は、作成されたテンプレートと、補助となる情報とを出力する。出力部９０３の出力形式としては、例えば、メモリ３０２、ディスク３０５などの記憶装置への記憶、Ｉ／Ｆ３０３による他のコンピュータへの送信、情報処理装置１０１の不図示のディスプレイへの表示などがある。
【０１４７】
具体的には、例えば、出力部９０３は、テンプレート作成要求の要求元である端末装置２０１に、作成された付加情報が付加されたテンプレートを送信する。この結果、端末装置２０１において、付加情報が付加されたテンプレートを含む開示同意操作画面が表示される。開示同意操作画面は、対象ユーザについてサービスＳｉの情報開示に関する設定を行う操作画面である。
【０１４８】
なお、開示同意操作画面の画面例については、図１５〜図２０を用いて後述する。
【０１４９】
（付加情報が付加されたテンプレートの具体例）
つぎに、図１３および図１４を用いて、付加情報が付加されたテンプレートの具体例について説明する。
【０１５０】
図１３は、付加情報が付加されたテンプレートの具体例を示す説明図（その１）である。ここでは、テンプレート種別として「対象サービス」および「同性×同世代」が指定され、付加情報種別として「同意選択確率」および「時系列情報」が指定された場合を想定する。また、対象ユーザと同性かつ同世代の他のユーザを「３０代男性」とする。
【０１５１】
図１３において、テンプレート１３００は、対象サービスの項目ごとに開示同意の有無があらかじめ設定されたテンプレートである。例えば、項目名「氏名」の項目には、「○（開示同意あり）」が設定されている。また、項目名「年齢」の項目には、「×（開示同意なし）」が設定されている。
【０１５２】
テンプレート１３００には、付加情報１３０１と付加情報１３０２とが付加されている。付加情報１３０１は、対象サービスの項目ごとの同意選択確率を示す。例えば、項目名「氏名」の項目の開示同意確率は、「５５％」である。また、項目名「年齢」の項目の開示同意確率は、「４５％」である。
【０１５３】
付加情報１３０２は、所定期間Ｔ内の対象サービスの項目ごとの同意選択確率の時系列変化を示す。例えば、項目名「氏名」の項目の開示同意確率の時系列変化を示す情報として、グラフ１３０２−１が示されている。また、項目名「年齢」の項目の開示同意確率の時系列変化を示す情報として、グラフ１３０２−２が示されている。なお、各項目に対応するグラフが表示された枠内の横線は、同意選択確率「５０％」を示す基準線である。
【０１５４】
テンプレート１３００によれば、対象ユーザは、対象サービスの情報開示に関する設定を行うにあたり、対象サービスの項目ごとに、自身と同性かつ同世代のユーザの開示同意の有無の設定傾向を把握することができる。
【０１５５】
また、付加情報１３０１によれば、対象ユーザは、対象サービスの項目ごとに、他のユーザがどれくらいの割合で情報開示に同意しているかを把握することができる。例えば、項目名「家族構成」の項目について、８０％の人が同意しているため、テンプレート１３００に従って、自分も同意してもよいと判断することができる。一方、項目名「氏名」の項目については、テンプレート１３００では「○（開示同意あり）」となっているものの、同意選択確率が５５％のため、同意するか否かをよく考えたほうがよいことがわかる。
【０１５６】
また、付加情報１３０２によれば、対象ユーザは、対象サービスの項目ごとに、情報開示に同意する割合（同意選択確率）が、どのように時間変化しているのかを把握することができる。例えば、グラフ１３０２−２によれば、項目名「年齢」の項目について、情報開示に同意する割合が下がってきていることがわかる。これにより、対象ユーザは、項目名「年齢」の項目について、情報開示に同意する割合が、現時点で４５％と高い値ではないし、徐々に下がってきているため、同意しないほうがよいと判断することができる。
【０１５７】
図１４は、付加情報が付加されたテンプレートの具体例を示す説明図（その２）である。ここでは、テンプレート種別として「対象サービス」および「同性×同世代」が指定され、付加情報種別として「時系列情報」が指定された場合を想定する。また、対象ユーザと同性かつ同世代の他のユーザを「３０代男性」とする。
【０１５８】
図１４において、テンプレート１４００は、対象サービスの項目ごとに開示同意の有無があらかじめ設定されたテンプレートである。例えば、項目名「氏名」の項目には、「○（開示同意あり）」が設定されている。また、項目名「年齢」の項目には、「×（開示同意なし）」が設定されている。
【０１５９】
テンプレート１４００には、付加情報１４０１と付加情報１４０２とが付加されている。付加情報１４０１は、所定期間Ｔ内の対象サービスの項目ごとの同意選択確率の時系列変化を示す。例えば、項目名「氏名」の項目の開示同意確率の時系列変化を示す情報として、グラフ１４０１−１が示されている。また、項目名「年齢」の項目の開示同意確率の時系列変化を示す情報として、グラフ１４０１−２が示されている。
【０１６０】
付加情報１４０２は、１つの設定で複数の項目の設定を可能にする情報である。ここでは、付加情報１４０２は、対象サービスの項目のうち、同意選択確率が７５％以上の項目について開示同意ありに一括設定可能にし、かつ、同意選択確率が２５％未満の項目について開示同意なしに一括設定可能にする情報である。
【０１６１】
テンプレート１４００によれば、対象ユーザは、対象サービスの情報開示に関する設定を行うにあたり、対象サービスの項目ごとに、自身と同性かつ同世代のユーザの開示同意の有無の設定傾向を把握することができる。
【０１６２】
また、付加情報１４０１によれば、対象ユーザは、対象サービスの項目ごとに、情報開示に同意する割合（同意選択確率）が、どのように時間変化しているのかを把握することができる。例えば、グラフ１４０１−２によれば、項目名「年齢」の項目について、情報開示に同意する割合が下がってきていることがわかる。これにより、対象ユーザは、項目名「年齢」の項目について、情報開示に同意する割合が徐々に下がってきているため、同意しないほうがよいと判断することができる。
【０１６３】
また、付加情報１４０２によれば、１つの設定で複数の項目の設定を一括して行うことができる。１つの設定で一括設定される複数の項目の背景色（時系列情報を表示する箇所の背景色）は、他の項目と異なるものとなっているため、一括設定可能な項目を判別することができる。
【０１６４】
例えば、付加情報１４０２を選択することで、項目名「住所」、「家族構成」、「位置」、「勤務地」および「購入履歴」の各項目についての開示同意の有無を一括設定することができる。ここでは、項目名「家族構成」、「位置」および「勤務地」の各項目が、同意選択確率が７５％以上のため、開示同意ありと設定される。また、項目名「住所」および「購入履歴」の各項目が、同意選択確率が２５％未満のため、開示同意なしと設定される。
【０１６５】
（開示同意操作画面の画面例）
つぎに、図１５〜図２０を用いて、端末装置２０１のディスプレイ４０６に表示される開示同意操作画面の画面例について説明する。以下の説明では、操作画面に表示されているボタン等をユーザが選択する操作として、クリック操作を行う場合を例に挙げて説明する。
【０１６６】
図１５〜図２０は、開示同意操作画面の画面例を示す説明図である。図１５の（１５−１）において、開示同意操作画面１５００は、対象ユーザについてサービスＳｉの情報開示に関する設定を行う操作画面である。ここでは、複数のサービスの情報開示に関する設定を行う場合を想定する。また、全サービスで共通の項目については集約して表示する場合を想定する。また、テンプレート種別として「項目関連情報」が指定され、付加情報種別として「項目関連情報」が指定された場合を想定する。
【０１６７】
開示同意操作画面１５００は、サービスＳｉの項目ごとに開示同意の有無（○×）があらかじめ設定されたテンプレート１５１０を含む。ここで、サービス名は、サービスＳｉの名称である。サービス名「共通」は、全サービスで共通の項目に対応するサービス名である。項目名は、サービスＳｉを利用するにあたって、情報開示の対象となる個人情報の項目の名称である。
【０１６８】
内容は、項目の内容、すなわち、対象ユーザの個人情報の内容である。ただし、内容は非表示としてもよい。ＩＤは、テンプレート１５１０を一意に識別する識別子である。開示同意操作画面１５００では、各項目の開示同意の有無（○×）が設定された各欄が、開示同意の有無に応じて異なる態様で表示されており、開示同意の有無を判別しやすくなっている。
【０１６９】
開示同意操作画面１５００において、例えば、図４に示した入力装置４０７を用いたユーザの操作入力により、項目の開示同意の有無が設定されたいずれかの欄をクリックすると、もう一方の選択肢がプルダウンで表示される。図１５の（１５−２）では、欄１６０１がクリックされた結果、選択肢１６０２が表示されている。
【０１７０】
また、図１６の（１５−３）に示すように、開示同意操作画面１５００において、選択肢１６０２をクリックすると、図１６の（１５−４）に示すように、欄１６０１内の表示が「×（開示同意なし）」から「○（開示同意あり）」に切り替わる。
【０１７１】
また、開示同意操作画面１５００において、ＯＫボタン１５０１をクリックすると、各項目の開示同意の有無を、各欄に表示された設定内容「○または×」で決定することができる。また、開示同意操作画面１５００において、キャンセルボタン１５０２をクリックすると、対象ユーザについてサービスＳｉの情報開示に関する設定を中止することができる。
【０１７２】
また、例えば、図１５の（１５−２）に示した開示同意操作画面１５００において、欄１６０１をダブルクリックすると、図１７に示すような付加情報１７００がポップアップ表示される。付加情報１７００は、項目名「予定」の項目と開示同意の有無についての関連性が強い他の項目を示す情報である。
【０１７３】
具体的には、付加情報１７００には、項目名「予定」の項目の開示同意を「×（開示同意なし）」にした場合における、他の項目についての開示同意の有無、サービス名、項目名および内容が示されている。また、付加情報１７００では、開示同意ありの項目が上の方にまとめて表示されており、各項目の開示同意の有無を判別しやすくなっている。
【０１７４】
付加情報１７００によれば、対象ユーザは、項目名「予定」の項目の開示同意を「×（開示同意なし）」にした場合、大多数のユーザが、付加情報１７００に示すように、他の項目の開示同意の有無を設定していることを把握することができる。
【０１７５】
図１７に示す開示同意操作画面１５００において、ＯＫボタン１７０１をクリックすると、項目名「予定」の項目、および、項目名「予定」の項目と開示同意の有無についての関連性が強い他の項目の開示同意の有無を一括設定することができる。具体的には、項目名「予定」の項目については、欄１６０１に表示された内容が設定され、他の項目については、付加情報１７００が示す内容が設定され、付加情報１７００の表示が終了する。
【０１７６】
また、図１７に示す開示同意操作画面１５００において、キャンセルボタン１７０２をクリックすると、付加情報１７００の表示を終了することができる。
【０１７７】
また、例えば、図１５の（１５−２）に示した開示同意操作画面１５００において、選択肢１６０２をダブルクリックすると、図１８に示すような付加情報１８００がポップアップ表示される。付加情報１８００は、項目名「予定」の項目と開示同意の有無についての関連性が強い他の項目を示す情報である。
【０１７８】
具体的には、付加情報１８００には、項目名「予定」の項目の開示同意を「○（開示同意あり）」にした場合における、他の項目についての開示同意の有無、サービス名、項目名および内容が示されている。また、付加情報１８００では、開示同意ありの項目が上の方にまとめて表示されており、各項目の開示同意の有無を判別しやすくなっている。
【０１７９】
付加情報１８００によれば、対象ユーザは、項目名「予定」の項目の開示同意を「○（開示同意あり）」にした場合、大多数のユーザが、付加情報１８００に示すように、他の項目の開示同意の有無を設定していることを把握することができる。
【０１８０】
図１８に示す開示同意操作画面１５００において、ＯＫボタン１８０１をクリックすると、項目名「予定」の項目、および、項目名「予定」の項目と開示同意の有無についての関連性が強い他の項目の開示同意の有無を一括設定することができる。具体的には、項目名「予定」の項目については、選択肢１６０２に表示された内容が設定され、他の項目については、付加情報１８００が示す内容が設定され、付加情報１８００の表示が終了する。
【０１８１】
また、図１８に示す開示同意操作画面１５００において、キャンセルボタン１８０２をクリックすると、付加情報１８００の表示を終了することができる。
【０１８２】
また、例えば、図１８に示す開示同意操作画面１５００において、付加情報１８００が示す他の項目の開示同意の有無が設定されたいずれかの欄をクリックすると、開示同意の有無を変更することができる。図１９の例では、欄１９０１がクリックされた結果、サービス名「サービス１０」、項目名「項目１０１」、内容「内容１０１」の項目の開示同意が「×（開示同意なし）」から「○（開示同意あり）」に変更されている。
【０１８３】
また、図１９に示す開示同意操作画面１５００において、欄１９０１をダブルクリックすると、図２０に示すような付加情報２０００がさらにポップアップ表示される。付加情報２０００は、サービス名「サービス１０」、項目名「項目１０１」、内容「内容１０１」の項目と開示同意の有無についての関連性が強い他の項目を示す情報である。
【０１８４】
具体的には、付加情報２０００には、項目名「項目１０１」の項目の開示同意を「○（開示同意あり）」にした場合における、他の項目についての開示同意の有無、サービス名、項目名および内容が示されている。なお、付加情報２０００において、付加情報１８００と重複する項目については表示しないようにしてもよい。
【０１８５】
付加情報２０００によれば、対象ユーザは、項目名「項目１０１」の項目の開示同意を「○（開示同意あり）」にした場合、大多数のユーザが、付加情報２０００に示すように、他の項目の開示同意の有無を設定していることを把握することができる。
【０１８６】
図２０に示す開示同意操作画面１５００において、ＯＫボタン２００１をクリックすると、項目名「項目１０１」の項目、および、項目名「項目１０１」の項目と開示同意の有無についての関連性が強い他の項目の開示同意の有無を一括設定することができる。具体的には、項目名「項目１０１」の項目については、欄１９０１に表示された内容が設定され、他の項目については、付加情報２０００が示す内容が設定され、付加情報２０００の表示が終了する。
【０１８７】
また、図２０に示す開示同意操作画面１５００において、キャンセルボタン２００２をクリックすると、付加情報２０００の表示を終了することができる。
【０１８８】
（情報処理装置１０１の開示情報設定処理手順）
つぎに、情報処理装置１０１の開示情報設定処理手順について説明する。
【０１８９】
図２１は、情報処理装置１０１の開示情報設定処理手順の一例を示すフローチャートである。図２１のフローチャートにおいて、まず、情報処理装置１０１は、端末装置２０１からテンプレート作成要求を受け付けたか否かを判断する（ステップＳ２１０１）。ここで、情報処理装置１０１は、テンプレート作成要求を受け付けるのを待つ（ステップＳ２１０１：Ｎｏ）。
【０１９０】
そして、情報処理装置１０１は、テンプレート作成要求を受け付けた場合（ステップＳ２１０１：Ｙｅｓ）、ユーザ情報ＤＢ２３０を参照して、対象ユーザのユーザ情報を取得する（ステップＳ２１０２）。対象ユーザは、テンプレート作成要求に含まれる対象ユーザＩＤから特定される。
【０１９１】
つぎに、情報処理装置１０１は、テンプレート作成要求に含まれるテンプレート種別および付加情報種別に応じたテンプレート作成処理を実行する（ステップＳ２１０３）。テンプレート作成処理の具体的な処理手順については、図２２，図２３，図２５〜図３０を用いて後述する。
【０１９２】
そして、情報処理装置１０１は、端末装置２０１に対して、作成した付加情報が付加されたテンプレートを出力して（ステップＳ２１０４）、本フローチャートによる一連の処理を終了する。
【０１９３】
これにより、端末装置２０１のユーザ（例えば、対象ユーザ）に対して、サービスＳｉの項目ごとに開示同意の有無があらかじめ設定されたテンプレートとともに、各項目の開示同意の有無についての選択の補助となる付加情報を提示することができる。
【０１９４】
（テンプレート作成処理の具体的処理手順）
つぎに、図２１に示したステップＳ２１０３のテンプレート作成処理の具体的な処理手順について説明する。まず、図２２および図２３を用いて、テンプレート種別「同性×同世代」および付加情報種別「時系列情報」に応じたテンプレート作成処理の具体的な処理手順について説明する。
【０１９５】
図２２および図２３は、テンプレート種別「同性×同世代」および付加情報種別「時系列情報」に応じたテンプレート作成処理の具体的処理手順の一例を示すフローチャートである。図２２のフローチャートにおいて、まず、情報処理装置１０１は、ステップＳ２１０２において取得したユーザ情報を参照して、対象ユーザの性別および世代を特定する（ステップＳ２２０１）。
【０１９６】
そして、情報処理装置１０１は、開示同意情報ＤＢ２５０から、特定した対象ユーザと同性かつ同世代の他のユーザの各項目ＩＤに対応する開示同意情報を取得する（ステップＳ２２０２）。つぎに、情報処理装置１０１は、サービスＳ１〜Ｓｎのうち開示同意の設定が行われていないサービスＳｉを選択する（ステップＳ２２０３）。
【０１９７】
そして、情報処理装置１０１は、選択したサービスＳｉの項目のうち開示同意の設定が行われていない項目を選択する（ステップＳ２２０４）。つぎに、情報処理装置１０１は、取得した開示同意情報に基づいて、選択した項目の同意選択確率を算出する（ステップＳ２２０５）。
【０１９８】
そして、情報処理装置１０１は、算出した同意選択確率が５０％以上であるか否かを判断する（ステップＳ２２０６）。ここで、同意選択確率が５０％以上の場合（ステップＳ２２０６：Ｙｅｓ）、情報処理装置１０１は、選択した項目に開示同意ありを設定して（ステップＳ２２０７）、ステップＳ２２０９に移行する。
【０１９９】
一方、同意選択確率が５０％未満の場合（ステップＳ２２０６：Ｎｏ）、情報処理装置１０１は、選択した項目に開示同意なしを設定する（ステップＳ２２０８）。そして、情報処理装置１０１は、選択したサービスＳｉの項目のうち開示同意の設定が行われていない項目があるか否かを判断する（ステップＳ２２０９）。
【０２００】
ここで、開示同意の設定が行われていない項目がある場合（ステップＳ２２０９：Ｙｅｓ）、情報処理装置１０１は、ステップＳ２２０４に戻る。一方、開示同意の設定が行われていない項目がない場合（ステップＳ２２０９：Ｎｏ）、情報処理装置１０１は、サービスＳ１〜Ｓｎのうち開示同意の設定が行われていないサービスＳｉがあるか否かを判断する（ステップＳ２２１０）。
【０２０１】
ここで、開示同意の設定が行われていないサービスＳｉがある場合（ステップＳ２２１０：Ｙｅｓ）、情報処理装置１０１は、ステップＳ２２０３に戻る。一方、開示同意の設定が行われていないサービスＳｉがない場合（ステップＳ２２１０：Ｎｏ）、情報処理装置１０１は、図２３に示すステップＳ２３０１に移行する。
【０２０２】
図２３のフローチャートにおいて、まず、情報処理装置１０１は、各サービスＳｉについて、ステップＳ２２０７またはステップＳ２２０８において設定された項目ごとの開示同意の有無を示すテンプレートを作成する（ステップＳ２３０１）。
【０２０３】
そして、情報処理装置１０１は、時系列情報ＤＢ１２００から、各サービスＳｉについて、対象ユーザと同性かつ同世代の統計単位の項目ごとの所定期間Ｔ分の同意選択確率を取得する（ステップＳ２３０２）。なお、時系列情報ＤＢ１２００の更新処理手順については、図２４を用いて後述する。
【０２０４】
つぎに、情報処理装置１０１は、各サービスＳｉについて、取得した項目ごとの所定期間Ｔ分の同意選択確率に基づいて、所定期間Ｔ内の項目ごとの同意選択確率の時系列変化を示す付加情報を作成する（ステップＳ２３０３）。そして、情報処理装置１０１は、作成した付加情報を、作成したテンプレートに付加して（ステップＳ２３０４）、テンプレート作成処理を呼び出したステップに戻る。
【０２０５】
これにより、各サービスＳ１〜Ｓｎについて、対象ユーザと同性かつ同世代のユーザの情報開示に関する設定傾向が反映されたテンプレートを作成することができる。また、各サービスＳ１〜Ｓｎについて、対象ユーザと同性かつ同世代のユーザの所定期間Ｔ内の項目ごとの同意選択確率の時系列変化を示す付加情報を作成することができる。
【０２０６】
・時系列情報ＤＢ１２００の更新処理手順
つぎに、図２４を用いて、時系列情報ＤＢ１２００の更新処理手順について説明する。時系列情報ＤＢ１２００の更新処理は、例えば、毎日０時に実行される。
【０２０７】
図２４は、時系列情報ＤＢ１２００の更新処理手順の一例を示すフローチャートである。図２４のフローチャートにおいて、まず、情報処理装置１０１は、現在時刻を取得する（ステップＳ２４０１）。つぎに、情報処理装置１０１は、あらかじめ設定された統計単位のうち同意選択確率が算出されていない統計単位を選択する（ステップＳ２４０２）。
【０２０８】
そして、情報処理装置１０１は、開示同意情報ＤＢ２５０から、選択した統計単位の開示同意情報を取得する（ステップＳ２４０３）。なお、開示同意情報ＤＢ２５０内のどのユーザの開示同意情報がどの統計単位に属するかは、例えば、ユーザ情報ＤＢ２３０内のユーザ情報から特定される。
【０２０９】
つぎに、情報処理装置１０１は、全サービスＳ１〜Ｓｎの項目のうち同意選択確率が算出されていない項目を選択する（ステップＳ２４０４）。そして、情報処理装置１０１は、取得した統計単位の開示同意情報に基づいて、選択した項目の同意選択確率を算出する（ステップＳ２４０５）。
【０２１０】
つぎに、情報処理装置１０１は、取得した現在時刻、選択した統計単位と対応付けて、算出した項目の同意選択確率を時系列情報ＤＢ１２００に登録する（ステップＳ２４０６）。そして、情報処理装置１０１は、全サービスＳ１〜Ｓｎの項目のうち同意選択確率が算出されていない項目があるか否かを判断する（ステップＳ２４０７）。
【０２１１】
ここで、同意選択確率が算出されていない項目がある場合（ステップＳ２４０７：Ｙｅｓ）、情報処理装置１０１は、ステップＳ２４０４に戻る。一方、同意選択確率が算出されていない項目がない場合（ステップＳ２４０７：Ｎｏ）、情報処理装置１０１は、あらかじめ設定された統計単位のうち同意選択確率が算出されていない統計単位があるか否かを判断する（ステップＳ２４０８）。
【０２１２】
ここで、同意選択確率が算出されていない統計単位がある場合（ステップＳ２４０８：Ｙｅｓ）、情報処理装置１０１は、ステップＳ２４０２に戻る。一方、同意選択確率が算出されていない統計単位がない場合（ステップＳ２４０８：Ｎｏ）、情報処理装置１０１は、本フローチャートによる一連の処理を終了する。
【０２１３】
これにより、各サービスＳ１〜Ｓｎについて、あらかじめ設定された統計単位ごとに、項目ごとの同意選択確率を時系列情報ＤＢ１２００に記録することができる。
【０２１４】
つぎに、図２５および図２６を用いて、テンプレート種別「項目関連情報」および付加情報種別「項目関連情報」に応じたテンプレート作成処理の具体的な処理手順について説明する。
【０２１５】
図２５および図２６は、テンプレート種別「項目関連情報」および付加情報種別「項目関連情報」に応じたテンプレート作成処理の具体的処理手順の一例を示すフローチャートである。図２５のフローチャートにおいて、まず、情報処理装置１０１は、全サービスＳ１〜Ｓｎの項目のうち関連項目が設定されていない項目を選択する（ステップＳ２５０１）。
【０２１６】
つぎに、情報処理装置１０１は、開示同意情報ＤＢ２５０から、選択した項目の開示同意が「○（開示同意あり）」のユーザの他の項目の開示同意情報を取得する（ステップＳ２５０２）。そして、情報処理装置１０１は、取得した他の項目の開示同意情報に基づいて、他の項目ごとの同意選択確率を算出する（ステップＳ２５０３）。
【０２１７】
つぎに、情報処理装置１０１は、算出した同意選択確率が閾値β以上の他の項目を関連項目（第１の関連項目）として特定するとともに、算出した同意選択確率が閾値γ未満の他の項目を関連項目（第２の関連項目）として特定する（ステップＳ２５０４）。
【０２１８】
つぎに、情報処理装置１０１は、開示同意情報ＤＢ２５０から、選択した項目の開示同意が「×（開示同意なし）」のユーザの他の項目の開示同意情報を取得する（ステップＳ２５０５）。そして、情報処理装置１０１は、取得した他の項目の開示同意情報に基づいて、他の項目ごとの同意選択確率を算出する（ステップＳ２５０６）。
【０２１９】
つぎに、情報処理装置１０１は、算出した同意選択確率が閾値β以上の他の項目を関連項目（第３の関連項目）として特定するとともに、算出した同意選択確率が閾値γ未満の他の項目を関連項目（第４の関連項目）として特定する（ステップＳ２５０７）。
【０２２０】
そして、情報処理装置１０１は、特定した第１、第２、第３および第４の関連項目を関連項目として特定するとともに、特定した関連項目の総数を関連項目数として特定する（ステップＳ２５０８）。具体的には、第１、第２の関連項目が、選択した項目の開示同意が「○（開示同意あり）」の場合の関連項目となる。また、第３、第４の関連項目が、選択した項目の開示同意が「×（開示同意なし）」の場合の関連項目となる。
【０２２１】
つぎに、情報処理装置１０１は、全サービスＳ１〜Ｓｎの項目のうち関連項目が設定されていない項目があるか否かを判断する（ステップＳ２５０９）。ここで、関連項目が設定されていない項目がある場合（ステップＳ２５０９：Ｙｅｓ）、情報処理装置１０１は、ステップＳ２５０１に戻る。
【０２２２】
一方、関連項目が設定されていない項目がない場合（ステップＳ２５０９：Ｎｏ）、情報処理装置１０１は、図２６のステップＳ２６０１に移行する。
【０２２３】
図２６のフローチャートにおいて、まず、情報処理装置１０１は、全サービスＳ１〜Ｓｎの項目のうち、特定した関連項目数が所定数ｑ以上の項目を抽出する（ステップＳ２６０１）。そして、情報処理装置１０１は、各サービスＳｉについて、抽出した項目ごとの開示同意の有無を示すテンプレートを作成する（ステップＳ２６０２）。
【０２２４】
つぎに、情報処理装置１０１は、各サービスＳｉについて、抽出した項目と開示同意の有無についての関連性が強い他の項目、すなわち、特定した関連項目の開示同意の有無を示す付加情報を作成する（ステップＳ２６０３）。この付加情報は、例えば、抽出した項目と、特定した関連項目の開示同意の有無を一括設定可能にする情報である。そして、情報処理装置１０１は、作成した付加情報を、作成したテンプレートに付加して（ステップＳ２６０４）、テンプレート作成処理を呼び出したステップに戻る。
【０２２５】
これにより、各サービスＳｉの項目のうち他の項目との開示同意の有無についての関連性が強い項目のみをピックアップしたテンプレートを作成することができる。また、各サービスＳｉの項目と開示同意の有無についての関連性が強い他の項目の開示同意の有無を示す付加情報を作成することができる。
【０２２６】
つぎに、図２７および図２８を用いて、テンプレート種別「クラスタリング」および付加情報種別「クラスタリング同意選択確率」に応じた第１のテンプレート作成処理の具体的な処理手順について説明する。
【０２２７】
図２７および図２８は、テンプレート種別「クラスタリング」および付加情報種別「クラスタリング同意選択確率」に応じた第１のテンプレート作成処理の具体的処理手順の一例を示すフローチャートである。図２７のフローチャートにおいて、まず、情報処理装置１０１は、ユーザ情報ＤＢ２３０を参照して、サービスＳ１〜Ｓｎのうち対象ユーザの情報開示に関する設定が完了した全てのサービスについての情報開示に関する設定が完了している他のユーザを特定する（ステップＳ２７０１）。
【０２２８】
つぎに、情報処理装置１０１は、開示同意情報ＤＢ２５０から、対象ユーザと、特定した他のユーザのサービスＳ１〜Ｓｎそれぞれの項目ごとの開示同意情報を取得する（ステップＳ２７０２）。そして、情報処理装置１０１は、取得した開示同意情報に基づいて、クラスタリングを行う（ステップＳ２７０３）。
【０２２９】
つぎに、情報処理装置１０１は、クラスタリングにより得られたクラスタのうち対象ユーザを含むクラスタを特定する（ステップＳ２７０４）。そして、情報処理装置１０１は、ユーザ情報ＤＢ２３０を参照して、特定したクラスタに属する対象ユーザとは異なる他のユーザのうち、対象サービスについての情報開示に関する設定が完了しているユーザを抽出する（ステップＳ２７０５）。
【０２３０】
つぎに、情報処理装置１０１は、開示同意情報ＤＢ２５０を参照して、抽出したユーザの対象サービスの項目ごとの開示同意情報に基づいて、クラスタリングを行って（ステップＳ２７０６）、図２８に示すステップＳ２８０１に移行する。
【０２３１】
図２８のフローチャートにおいて、まず、情報処理装置１０１は、ステップＳ２７０６のクラスタリングにより得られたクラスタのうち開示同意の設定が行われていないクラスタを選択する（ステップＳ２８０１）。つぎに、情報処理装置１０１は、対象サービスの項目のうち開示同意の設定が行われていない項目を選択する（ステップＳ２８０２）。
【０２３２】
そして、情報処理装置１０１は、開示同意情報ＤＢ２５０を参照して、選択したクラスタ内のユーザの、選択した項目の開示同意情報に基づいて、選択した項目の同意選択確率を算出する（ステップＳ２８０３）。
【０２３３】
そして、情報処理装置１０１は、算出した同意選択確率が５０％以上であるか否かを判断する（ステップＳ２８０４）。ここで、同意選択確率が５０％以上の場合（ステップＳ２８０４：Ｙｅｓ）、情報処理装置１０１は、選択した項目に開示同意ありを設定して（ステップＳ２８０５）、ステップＳ２８０７に移行する。
【０２３４】
一方、同意選択確率が５０％未満の場合（ステップＳ２８０４：Ｎｏ）、情報処理装置１０１は、選択した項目に開示同意なしを設定する（ステップＳ２８０６）。そして、情報処理装置１０１は、対象サービスの項目のうち開示同意の設定が行われていない項目があるか否かを判断する（ステップＳ２８０７）。
【０２３５】
ここで、開示同意の設定が行われていない項目がある場合（ステップＳ２８０７：Ｙｅｓ）、情報処理装置１０１は、ステップＳ２８０２に戻る。一方、未選択の項目がない場合（ステップＳ２８０７：Ｎｏ）、情報処理装置１０１は、対象サービスについて、ステップＳ２８０５またはステップＳ２８０６において設定された項目ごとの開示同意の有無を示すテンプレートを作成する（ステップＳ２８０８）。
【０２３６】
つぎに、情報処理装置１０１は、算出した項目の同意選択確率に基づいて、対象サービスの項目ごとの同意選択確率を示す付加情報を作成する（ステップＳ２８０９）。そして、情報処理装置１０１は、作成した付加情報を、作成したテンプレートに付加する（ステップＳ２８１０）。
【０２３７】
つぎに、情報処理装置１０１は、ステップＳ２７０６のクラスタリングにより得られたクラスタのうち開示同意の設定が行われていないクラスタがあるか否かを判断する（ステップＳ２８１１）。ここで、開示同意の設定が行われていないクラスタがある場合（ステップＳ２８１１：Ｙｅｓ）、情報処理装置１０１は、ステップＳ２８０１に戻る。
【０２３８】
一方、開示同意の設定が行われていないクラスタがない場合（ステップＳ２８１１：Ｎｏ）、情報処理装置１０１は、第１のテンプレート作成処理を呼び出したステップに戻る。
【０２３９】
これにより、対象ユーザと情報開示に関する設定傾向が類似するユーザ群をクラスタリングして得られたクラスタごとに、対象サービスの項目ごとの開示同意の有無があらかじめ設定されたテンプレートと、対象サービスの項目ごとの同意選択確率を示す付加情報とを作成することができる。
【０２４０】
つぎに、図２９および図３０を用いて、テンプレート種別「クラスタリング」および付加情報種別「クラスタリング同意選択確率」に応じた第２のテンプレート作成処理の具体的な処理手順について説明する。第２のテンプレート作成処理は、対象ユーザと情報開示に関する設定傾向が類似するユーザ群を特定する処理が第１のテンプレート作成処理と異なる。
【０２４１】
図２９および図３０は、テンプレート種別「クラスタリング」および付加情報種別「クラスタリング同意選択確率」に応じた第２のテンプレート作成処理の具体的処理手順の一例を示すフローチャートである。図２９のフローチャートにおいて、まず、情報処理装置１０１は、ユーザ情報ＤＢ２３０を参照して、サービスＳ１〜Ｓｎのうち対象ユーザの情報開示に関する設定が完了したサービスを特定する（ステップＳ２９０１）。
【０２４２】
つぎに、情報処理装置１０１は、特定したサービスのうち選択されていない未選択のサービスＳｉを選択する（ステップＳ２９０２）。そして、情報処理装置１０１は、ユーザ情報ＤＢ２３０を参照して、選択したサービスＳｉの情報開示に関する設定が完了している他のユーザを特定する（ステップＳ２９０３）。
【０２４３】
つぎに、情報処理装置１０１は、開示同意情報ＤＢ２５０から、対象ユーザと、特定した他のユーザのサービスＳｉの項目ごとの開示同意情報を取得する（ステップＳ２９０４）。そして、情報処理装置１０１は、取得した開示同意情報に基づいて、クラスタリングを行う（ステップＳ２９０５）。
【０２４４】
つぎに、情報処理装置１０１は、クラスタリングにより得られたクラスタのうち対象ユーザを含むクラスタを特定する（ステップＳ２９０６）。そして、情報処理装置１０１は、ユーザ情報ＤＢ２３０を参照して、特定したクラスタ内の対象ユーザとは異なる他のユーザを抽出する（ステップＳ２９０７）。
【０２４５】
つぎに、情報処理装置１０１は、ステップＳ２９０１において特定したサービスのうち選択されていない未選択のサービスＳｉがあるか否かを判断する（ステップＳ２９０８）。ここで、未選択のサービスＳｉがある場合（ステップＳ２９０８：Ｙｅｓ）、情報処理装置１０１は、ステップＳ２９０２に戻る。
【０２４６】
一方、未選択のサービスＳｉがない場合（ステップＳ２９０８：Ｎｏ）、情報処理装置１０１は、ステップＳ２９０７において抽出した他のユーザから、対象サービスについての情報開示に関する設定が完了しているユーザを抽出する（ステップＳ２９０９）。そして、情報処理装置１０１は、開示同意情報ＤＢ２５０を参照して、抽出したユーザの対象サービスの項目ごとの開示同意情報に基づいて、クラスタリングを行って（ステップＳ２９１０）、図３０に示すステップＳ３００１に移行する。
【０２４７】
図３０のフローチャートにおいて、まず、情報処理装置１０１は、ステップＳ２９１０のクラスタリングにより得られたクラスタのうち開示同意の設定が行われていないクラスタを選択する（ステップＳ３００１）。つぎに、情報処理装置１０１は、対象サービスの項目のうち開示同意の設定が行われていない項目を選択する（ステップＳ３００２）。
【０２４８】
そして、情報処理装置１０１は、開示同意情報ＤＢ２５０を参照して、選択したクラスタ内のユーザの、選択した項目の開示同意情報に基づいて、選択した項目の同意選択確率を算出する（ステップＳ３００３）。
【０２４９】
そして、情報処理装置１０１は、算出した同意選択確率が５０％以上であるか否かを判断する（ステップＳ３００４）。ここで、同意選択確率が５０％以上の場合（ステップＳ３００４：Ｙｅｓ）、情報処理装置１０１は、選択した項目に開示同意ありを設定して（ステップＳ３００５）、ステップＳ３００７に移行する。
【０２５０】
一方、同意選択確率が５０％未満の場合（ステップＳ３００４：Ｎｏ）、情報処理装置１０１は、選択した項目に開示同意なしを設定する（ステップＳ３００６）。そして、情報処理装置１０１は、対象サービスの項目のうち選択されていない未選択の項目があるか否かを判断する（ステップＳ３００７）。
【０２５１】
ここで、開示同意の設定が行われていない項目がある場合（ステップＳ３００７：Ｙｅｓ）、情報処理装置１０１は、ステップＳ３００２に戻る。一方、開示同意の設定が行われていない項目がない場合（ステップＳ３００７：Ｎｏ）、情報処理装置１０１は、対象サービスについて、ステップＳ３００５またはステップＳ３００６において設定された項目ごとの開示同意の有無を示すテンプレートを作成する（ステップＳ３００８）。
【０２５２】
つぎに、情報処理装置１０１は、算出した項目の同意選択確率に基づいて、対象サービスの項目ごとの同意選択確率を示す付加情報を作成する（ステップＳ３００９）。そして、情報処理装置１０１は、作成した付加情報を、作成したテンプレートに付加する（ステップＳ３０１０）。
【０２５３】
つぎに、情報処理装置１０１は、ステップＳ２９１０のクラスタリングにより得られたクラスタのうち開示同意の設定が行われていないクラスタがあるか否かを判断する（ステップＳ３０１１）。ここで、開示同意の設定が行われていないクラスタがある場合（ステップＳ３０１１：Ｙｅｓ）、情報処理装置１０１は、ステップＳ３００１に戻る。
【０２５４】
一方、開示同意の設定が行われていないクラスタがない場合（ステップＳ３０１１：Ｎｏ）、情報処理装置１０１は、第２のテンプレート作成処理を呼び出したステップに戻る。
【０２５５】
これにより、対象ユーザと情報開示に関する設定傾向が類似するユーザ群をクラスタリングして得られたクラスタごとに、対象サービスの項目ごとの開示同意の有無があらかじめ設定されたテンプレートと、対象サービスの項目ごとの同意選択確率を示す付加情報とを作成することができる。
【０２５６】
（端末装置２０１の提示処理手順）
つぎに、図３１を用いて、端末装置２０１の提示処理手順について説明する。
【０２５７】
図３１は、端末装置２０１の提示処理手順の一例を示すフローチャートである。図３１のフローチャートにおいて、まず、端末装置２０１は、情報処理装置１０１にテンプレート作成要求を送信する（ステップＳ３１０１）。テンプレート作成要求には、例えば、対象ユーザＩＤ、テンプレート種別および付加情報種別が含まれる。
【０２５８】
そして、端末装置２０１は、送信したテンプレート作成要求に対する応答として、情報処理装置１０１から付加情報が付加されたテンプレートを受信する（ステップＳ３１０２）。つぎに、端末装置２０１は、指定したテンプレート種別および付加情報種別を特定する（ステップＳ３１０３）。
【０２５９】
つぎに、端末装置２０１は、各サービスＳｉの項目の内容（項目値）の有無を判定する（ステップＳ３１０４）。なお、各サービスＳｉの項目の内容は、端末装置２０１から情報処理装置１０１に問い合わせることにしてもよい。そして、端末装置２０１は、受信した付加情報が付加されたテンプレートと、特定したテンプレート種別および付加情報種別と、項目の内容（項目値）の有無の判定結果とに応じて、開示同意操作画面の画面情報を生成する（ステップＳ３１０５）。
【０２６０】
つぎに、端末装置２０１は、生成した開示同意操作画面の画面情報に基づいて、ディスプレイ４０６に開示同意操作画面を表示する（ステップＳ３１０６）。そして、端末装置２０１は、対象ユーザについて各サービスＳｉの項目ごとの開示同意の有無に関する入力が完了したか否かを判断する（ステップＳ３１０７）。
【０２６１】
ここで、開示同意の有無に関する入力が完了するのを待つ（ステップＳ３１０７：Ｎｏ）。開示同意の有無に関する入力が完了した場合（ステップＳ３１０７：Ｙｅｓ）、端末装置２０１は、各サービスＳｉの項目ごとの開示同意の有無に関する入力結果に基づいて、開示同意情報を生成する（ステップＳ３１０８）。
【０２６２】
そして、端末装置２０１は、生成した開示同意情報を情報処理装置１０１に送信して（ステップＳ３１０９）、本フローチャートによる一連の処理を終了する。この結果、情報処理装置１０１において、端末装置２０１から送信された開示同意情報が、開示同意情報ＤＢ２５０に登録される。
【０２６３】
これにより、情報処理装置１０１から提供される付加情報が付加されたテンプレートを利用して、対象ユーザについて各サービスＳｉの情報開示に関する設定を行うことができる。なお、開示同意操作画面の画面情報は、情報処理装置１０１において生成されることにしてもよい。
【０２６４】
以上説明したように、実施の形態にかかる情報処理装置１０１によれば、対象ユーザについてサービスＳｉの情報開示に関する設定を行うにあたり、サービスＳｉの情報開示に関する設定が完了した他のユーザの項目ごとの開示同意の有無を示す設定情報に基づいて、テンプレートと付加情報とを作成することができる。テンプレートは、サービスＳｉの項目ごとに開示同意の有無があらかじめ設定された情報である。付加情報は、サービスＳｉの項目の開示同意の有無についての選択の補助となる情報である。そして、情報処理装置１０１によれば、作成したテンプレートと付加情報とを出力することができる。
【０２６５】
これにより、情報活用者によって提供されるサービスＳｉを利用する対象ユーザ（情報提供者）の個人情報の開示同意の有無の設定を容易にすることができる。例えば、サービスＳｉの項目ごとに開示同意の有無が変更可能に設定されたテンプレートを提示することで、項目ごとの開示同意の有無を一から設定する場合に比べて、設定作業にかかる手数を減らすことができる。また、テンプレートにあわせて、サービスＳｉの項目ごとの開示同意の有無についての選択の補助となる情報を提示することで、サービスＳｉの項目ごとの開示同意の有無の設定を楽にすることができる。例えば、テンプレートにあらかじめ設定された各項目の開示同意の有無の根拠となる統計情報を提示することで、テンプレートに従ってよいものかどうかの判断をしやすくさせることができる。また、１つの設定で複数の項目の設定を可能にする情報を提示することで、設定作業にかかる手数を減らすことができる。
【０２６６】
また、情報処理装置１０１によれば、サービスＳｉの情報開示に関する設定が完了した他のユーザのうち、サービスＳｉの項目について開示同意ありと設定したユーザの割合（同意選択確率）を示す付加情報を作成することができる。
【０２６７】
これにより、サービスＳｉの項目ごとに、他のユーザがどれくらいの割合で情報開示に同意しているかを把握可能にして、テンプレートに従ってよいものかどうかの判断をしやすくさせることができる。
【０２６８】
また、情報処理装置１０１によれば、サービスＳｉの項目のうち、同意選択確率が閾値β以上の項目について開示同意ありに一括設定可能にする付加情報を作成することができる。
【０２６９】
これにより、サービスＳｉの項目のうち、大多数のユーザが同意している項目については、１つの設定で「開示同意あり」に一括設定可能にして、設定時に確認する項目数を減らして設定作業にかかる手数を減らすことができる。
【０２７０】
また、情報処理装置１０１によれば、サービスＳｉの項目のうち、同意選択確率が閾値γ未満の項目について開示同意なしに一括設定可能にする付加情報を作成することができる。
【０２７１】
これにより、サービスＳｉの項目のうち、大多数のユーザが同意していない項目については、１つの設定で「開示同意なし」に一括設定可能にして、設定時に確認する項目数を減らして設定作業にかかる手数を減らすことができる。
【０２７２】
また、情報処理装置１０１によれば、所定期間Ｔ内のサービスＳｉの項目の同意選択確率の時系列変化を示す付加情報を作成することができる。
【０２７３】
これにより、サービスＳｉの項目ごとに、所定期間Ｔ（例えば、直近１ヶ月）における情報開示に同意している他のユーザの割合の変動傾向を把握可能にして、テンプレートに従ってよいものかどうかの判断をしやすくさせることができる。
【０２７４】
また、情報処理装置１０１によれば、サービスＳｉの情報開示に関する設定が完了した他のユーザを、性別および世代の少なくともいずれかが対象ユーザと同一のユーザとすることができる。
【０２７５】
これにより、サービスＳｉについて、対象ユーザと性別や世代が同じユーザの情報開示に関する設定傾向が反映されたテンプレートや付加情報を作成することができる。このため、ユーザ（情報開示者）の性別や世代によって異なる設定傾向があらわれるようなサービスＳｉであっても、開示同意の有無を判断するための有効な判断材料を提供することができる。
【０２７６】
また、情報処理装置１０１によれば、サービスＳ１〜Ｓｎのうち対象ユーザの情報開示に関する設定が完了した全てのサービスについての情報開示に関する設定が完了している他のユーザを特定し、特定した他のユーザと対象ユーザとのサービスＳ１〜Ｓｎそれぞれの項目ごとの開示同意の有無を示す設定情報に基づいて、対象ユーザと情報開示に関する設定傾向が類似するユーザ群を特定することができる。そして、情報処理装置１０１によれば、特定したユーザ群それぞれの対象サービスの項目ごとの開示同意の有無を示す設定情報に基づいて、対象サービスのテンプレートを作成することができる。
【０２７７】
これにより、指定された対象サービスについて、対象ユーザと情報開示に関する設定傾向が類似するユーザの項目ごとの開示同意の有無についての設定傾向が反映されたテンプレートを作成することができる。
【０２７８】
また、情報処理装置１０１によれば、サービスＳ１〜Ｓｎのうち対象ユーザの情報開示に関する設定が完了したサービスごとに、サービスの情報開示に関する設定が完了した各ユーザの項目ごとの開示同意の有無を示す設定情報に基づいて、対象ユーザと情報開示に関する設定傾向が類似するユーザ群を特定することができる。そして、情報処理装置１０１によれば、特定したユーザ群それぞれの対象サービスの項目ごとの開示同意の有無を示す設定情報に基づいて、対象サービスのテンプレートを作成することができる。
【０２７９】
これにより、指定された対象サービスについて、対象ユーザと情報開示に関する設定傾向が類似するユーザの項目ごとの開示同意の有無についての設定傾向が反映されたテンプレートを作成することができる。
【０２８０】
また、情報処理装置１０１によれば、サービスＳ１〜Ｓｎそれぞれの情報開示に関する設定が完了した各ユーザの項目ごとの開示同意の有無を示す設定情報に基づいて、サービスＳ１〜Ｓｎの項目間の開示同意の有無についての関連性を判定することができる。そして、情報処理装置１０１によれば、判定した判定結果に基づいて、サービスＳｉの項目および当該項目と開示同意の有無についての関連性が強い他の項目の開示同意の有無を一括設定可能にする付加情報を作成することができる。
【０２８１】
これにより、サービスＳｉの項目および当該項目と開示同意の有無についての関連性が強い他の項目について、１つの設定で開示同意の有無を一括設定可能となり、設定時に確認する項目数を減らして設定作業にかかる手数を減らすことができる。
【０２８２】
また、情報処理装置１０１によれば、判定した判定結果に基づいて、サービスＳｉの項目のうち他の項目との開示同意の有無についての関連性が強い項目について、当該項目ごとに開示同意の有無があらかじめ設定されたテンプレートを作成することができる。
【０２８３】
これにより、サービスＳｉの項目のうち、他の項目との開示同意の有無についての関連性が強い項目のみをピックアップしたテンプレートを作成することができる。例えば、サービスＳｉの情報開示に関する設定を行うにあたり、１つの設定で複数の項目を設定可能な項目から優先的に行わせ、残りの未設定の項目については別途設定を行わせることで、設定作業を効率的に行うことができる。
【０２８４】
また、情報処理装置１０１によれば、対象ユーザについてサービスＳｉの情報開示に関する設定が完了しているか否かを判断し、対象ユーザについてサービスＳｉの情報開示に関する設定が完了していない場合に、サービスＳｉのテンプレートと付加情報とを作成することができる。これにより、対象ユーザについて情報開示に関する設定が完了しているサービスＳｉのテンプレートや付加情報が作成されるのを防ぐことができる。
【０２８５】
これらのことから、情報処理装置１０１によれば、情報活用者によって提供されるサービスＳｉを利用するユーザ（情報提供者）について、個人情報（パーソナルデータ）の開示同意の有無の設定作業を楽にして、サービスＳｉの利活用を図ることができる。
【０２８６】
なお、本実施の形態で説明した開示情報設定方法は、予め用意されたプログラムをパーソナル・コンピュータやワークステーション等のコンピュータで実行することにより実現することができる。本開示情報設定プログラムは、ハードディスク、フレキシブルディスク、ＣＤ（Ｃｏｍｐａｃｔ  Ｄｉｓｃ）−ＲＯＭ、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリ等のコンピュータで読み取り可能な記録媒体に記録され、コンピュータによって記録媒体から読み出されることによって実行される。また、本開示情報設定プログラムは、インターネット等のネットワークを介して配布してもよい。
【０２８７】
上述した実施の形態に関し、さらに以下の付記を開示する。
【０２８８】
（付記１）第１のユーザについて第１のサービスの情報開示に関する設定を行うにあたり、前記第１のサービスの情報開示に関する設定が完了した他のユーザの項目ごとの開示同意の有無を示す設定情報に基づいて、前記第１のサービスの項目ごとに開示同意の有無があらかじめ設定されたテンプレートと、前記項目の開示同意の有無についての選択の補助となる情報とを作成し、
作成した前記テンプレートと前記補助となる情報とを出力する、
処理をコンピュータに実行させることを特徴とする開示情報設定プログラム。
【０２８９】
（付記２）前記補助となる情報は、前記第１のサービスの情報開示に関する設定が完了した他のユーザのうち、前記項目について開示同意ありと設定したユーザの割合を示す情報である、ことを特徴とする付記１に記載の開示情報設定プログラム。
【０２９０】
（付記３）前記補助となる情報は、前記第１のサービスの項目のうち、前記割合が第１閾値以上の項目について開示同意ありに一括設定可能にする情報である、ことを特徴とする付記２に記載の開示情報設定プログラム。
【０２９１】
（付記４）前記補助となる情報は、前記第１のサービスの項目のうち、前記割合が第２閾値未満の項目について開示同意なしに一括設定可能にする情報である、ことを特徴とする付記２または３に記載の開示情報設定プログラム。
【０２９２】
（付記５）前記補助となる情報は、所定期間内の前記割合の時系列変化を示す情報である、ことを特徴とする付記２〜４のいずれか一つに記載の開示情報設定プログラム。
【０２９３】
（付記６）前記他のユーザは、性別および世代の少なくともいずれかが前記第１のユーザと同一のユーザである、ことを特徴とする付記１〜５のいずれか一つに記載の開示情報設定プログラム。
【０２９４】
（付記７）前記作成する処理は、
複数のサービスのうち前記第１のユーザの情報開示に関する設定が完了した全てのサービスについての情報開示に関する設定が完了している他のユーザを特定し、
特定した前記他のユーザと前記第１のユーザとの前記複数のサービスそれぞれの項目ごとの開示同意の有無を示す設定情報に基づいて、前記第１のユーザと情報開示に関する設定傾向が類似するユーザ群を特定し、
特定した前記ユーザ群それぞれの前記第１のサービスの項目ごとの開示同意の有無を示す設定情報に基づいて、前記テンプレートを作成する、
ことを特徴とする付記１〜６のいずれか一つに記載の開示情報設定プログラム。
【０２９５】
（付記８）前記作成する処理は、
複数のサービスのうち前記第１のユーザの情報開示に関する設定が完了したサービスごとに、前記サービスの情報開示に関する設定が完了した各ユーザの項目ごとの開示同意の有無を示す設定情報に基づいて、前記第１のユーザと情報開示に関する設定傾向が類似するユーザ群を特定し、
特定した前記ユーザ群それぞれの前記第１のサービスの項目ごとの開示同意の有無を示す設定情報に基づいて、前記テンプレートを作成する、
ことを特徴とする付記１〜７のいずれか一つに記載の開示情報設定プログラム。
【０２９６】
（付記９）前記作成する処理は、
前記第１のサービスを含む複数のサービスそれぞれの情報開示に関する設定が完了した各ユーザの項目ごとの開示同意の有無を示す設定情報に基づいて、前記複数のサービスの項目間の開示同意の有無についての関連性を判定し、
判定した判定結果に基づいて、前記第１のサービスの項目および当該項目と開示同意の有無についての関連性が強い他の項目の開示同意の有無を一括設定可能にする前記補助となる情報を作成する、
ことを特徴とする付記１〜８のいずれか一つに記載の開示情報設定プログラム。
【０２９７】
（付記１０）前記作成する処理は、
判定した判定結果に基づいて、前記第１のサービスの項目のうち他の項目との開示同意の有無についての関連性が強い項目について、当該項目ごとに開示同意の有無があらかじめ設定されたテンプレートを作成する、
ことを特徴とする付記９に記載の開示情報設定プログラム。
【０２９８】
（付記１１）前記第１のユーザについて前記第１のサービスの情報開示に関する設定が完了しているか否かを判断する、処理を前記コンピュータが実行し、
前記作成する処理は、
前記第１のユーザについて前記第１のサービスの情報開示に関する設定が完了していない場合に、前記テンプレートと前記補助となる情報とを作成する、
ことを特徴とする付記１〜１０のいずれか一つに記載の開示情報設定プログラム。
【０２９９】
（付記１２）前記作成する処理は、
判定した判定結果に基づいて、前記第１のサービスの項目と開示同意の有無についての関連性が強い他の項目の開示同意の有無を示す前記補助となる情報を作成する、
ことを特徴とする付記９に記載の開示情報設定プログラム。
【０３００】
（付記１３）第１のユーザについて第１のサービスの情報開示に関する設定を行うにあたり、前記第１のサービスの情報開示に関する設定が完了した他のユーザの項目ごとの開示同意の有無を示す設定情報に基づいて、前記第１のサービスの項目ごとに開示同意の有無があらかじめ設定されたテンプレートと、前記項目の開示同意の有無についての選択の補助となる情報とを作成し、
作成した前記テンプレートと前記補助となる情報とを出力する、
処理をコンピュータが実行することを特徴とする開示情報設定方法。
【符号の説明】
【０３０１】
１０１  情報処理装置
１０２，２０１  端末装置
１１０  設定情報
１２０，１３００，１４００，１５１０  テンプレート
１３０  同意選択確率情報
１４０  一括設定情報
２００  開示情報設定システム
２１０  ネットワーク
２２０  サービス情報ＤＢ
２３０  ユーザ情報ＤＢ
２４０  項目情報ＤＢ
２５０  開示同意情報ＤＢ
３００，４００  バス
３０１，４０１  ＣＰＵ
３０２，４０２  メモリ
３０３，４０５  Ｉ／Ｆ
３０４，４０３  ディスクドライブ
３０５，４０４  ディスク
４０６  ディスプレイ
４０７  入力装置
９０１  受付部
９０２  作成部
９０３  出力部
１２００  時系列情報ＤＢ
１３０１，１３０２，１４０１，１４０２，１７００，１８００，２０００  付加情報
１５００  開示同意操作画面
１６０１，１９０１  欄
１６０２  選択肢
Ｓ１〜Ｓｎ，Ｓｉ  サービス
【図１】
2020149254.tif 000003
【図２】
2020149254.tif 000004
【図３】
2020149254.tif 000005
【図４】
2020149254.tif 000006
【図５】
2020149254.tif 000007
【図６】
2020149254.tif 000008
【図７】
2020149254.tif 000009
【図８】
2020149254.tif 000010
【図９】
2020149254.tif 000011
【図１０】
2020149254.tif 000012
【図１１】
2020149254.tif 000013
【図１２】
2020149254.tif 000014
【図１３】
2020149254.tif 000015
【図１４】
2020149254.tif 000016
【図１５】
2020149254.tif 000017
【図１６】
2020149254.tif 000018
【図１７】
2020149254.tif 000019
【図１８】
2020149254.tif 000020
【図１９】
2020149254.tif 000021
【図２０】
2020149254.tif 000022
【図２１】
2020149254.tif 000023
【図２２】
2020149254.tif 000024
【図２３】
2020149254.tif 000025
【図２４】
2020149254.tif 000026
【図２５】
2020149254.tif 000027
【図２６】
2020149254.tif 000028
【図２７】
2020149254.tif 000029
【図２８】
2020149254.tif 000030
【図２９】
2020149254.tif 000031
【図３０】
2020149254.tif 000032
【図３１】
2020149254.tif 000033